(57)【要約】      （修正有）【課題】電子デバイスのトランザクション処理効率を大幅に高める画像共有方法および電子デバイスを提供する。【解決手段】方法は、第１電子デバイスが第２電子デバイスとのＢｌｕｅｔｏｏｔｈリンクを確立する段階と、第１電子デバイスがＷｉ−Ｆｉ無線アクセスポイントとのＷｉ−Ｆｉリンクを確立し、第２電子デバイスがＷｉ−Ｆｉ無線アクセスポイントとのＷｉ−Ｆｉリンクを確立する段階と、第１電子デバイスが画像を取得し、画像をＷｉ−Ｆｉリンクを介して第２電子デバイスへ送信する段階と、第２電子デバイスが、画像を受信した後に、第２電子デバイスのディスプレイ画面がオンであるか否かを決定する段階とを備える。第２電子デバイスは、ディスプレイ画面がオンであると決定した場合に、ディスプレイ画面上に画像を表示する。【選択図】図４
2020144914.tif 000002
【特許請求の範囲】
【請求項１】
タッチスクリーンを有する電子デバイス上で実装される画像共有方法であって、
第１電子デバイスが、Ｂｌｕｅｔｏｏｔｈによって第２電子デバイスとのＢｌｕｅｔｏｏｔｈリンクを確立する段階と、
前記第１電子デバイスが、Ｗｉ−Ｆｉ無線アクセスポイントとのＷｉ−Ｆｉリンクを確立し、前記第２電子デバイスが、前記Ｗｉ−Ｆｉ無線アクセスポイントとのＷｉ−Ｆｉリンクを確立し、前記第１電子デバイスが、Ｗｉ−Ｆｉ  Ｄｉｒｅｃｔによって前記第２電子デバイスに接続することで、Ｗｉ−Ｆｉ  Ｄｉｒｅｃｔリンクを形成する段階と、
前記第１電子デバイスが、画像情報を取得する段階であって、前記画像情報は、取得された画像と前記第１電子デバイスのデバイス情報とを含み、前記画像は、スクリーンショットであるか、または前記第１電子デバイスのカメラを用いてキャプチャされた画像である、段階と、
前記第１電子デバイスが、取得された前記画像情報を、前記Ｗｉ−Ｆｉ  Ｄｉｒｅｃｔリンクを介して前記第２電子デバイスへ送信する段階と、
前記第２電子デバイスが、前記画像情報を受信した後に、前記第２電子デバイスのディスプレイ画面がオンであるか否かを決定する段階と、
前記第２電子デバイスが、前記ディスプレイ画面がオンであると決定した場合に、前記ディスプレイ画面上に前記画像および前記デバイス情報を表示する段階、または、前記第２電子デバイスが、前記ディスプレイ画面がオンでないと決定した場合に、前記ディスプレイ上における前記画像または前記デバイス情報の表示をスキップする段階と
を備え、
前記第２電子デバイスの前記ディスプレイ画面上に前記画像および前記デバイス情報を表示する前記段階の後に、
前記第２電子デバイスが、前記ディスプレイ画面に対するユーザのタッチ操作を予め設定された期間内に受け付けるか否かを決定する段階と、
前記ディスプレイ画面に対する前記ユーザの前記タッチ操作が前記予め設定された時間内に受け付けられた場合に、前記タッチ操作に応答して前記第２電子デバイス上にグラフィカルユーザインタフェースを表示する段階であって、前記グラフィカルユーザインタフェースは、前記画像と、前記画像を編集するために用いられる制御とを含む、段階、または、
前記ディスプレイ画面に対する前記ユーザの前記タッチ操作が前記予め設定された時間内に受け付けられない場合に、前記ディスプレイ画面上に前記画像および前記デバイス情報を表示することを停止する段階と
をさらに備える、方法。
【請求項２】
前記ディスプレイ画面上に前記画像および前記デバイス情報を表示する前記段階は、具体的には、
前記第２電子デバイスの前記ディスプレイ画面上のファイル内に前記画像を表示し、前記画像の下に画像説明を自動的に追加する段階であって、前記ファイルは、編集中のＷｏｒｄ文書であり、前記Ｗｏｒｄ文書は、複数の文字を有し、前記画像は、前記複数の文字の間に挿入され、前記画像が挿入された後に、前記Ｗｏｒｄ文書は、組版を自動的に調整し、前記ディスプレイ画面上に表示される、段階を含む、
請求項１に記載の方法。
【請求項３】
前記第１電子デバイスが、前記画像情報を、前記Ｗｉ−Ｆｉ  Ｄｉｒｅｃｔリンクを介して前記第２電子デバイスへ送信する前記段階は、具体的には、前記第１電子デバイスが、前記第２電子デバイスと前記第１電子デバイスとの間の距離に基づいて、前記距離に対応する画像情報を、前記Ｗｉ−Ｆｉ  Ｄｉｒｅｃｔリンクを介して前記第２電子デバイスへ送信する段階を含む、
請求項１または２に記載の方法。
【請求項４】
画像共有方法であって、
第１電子デバイスが、Ｂｌｕｅｔｏｏｔｈによって第２電子デバイスとのＢｌｕｅｔｏｏｔｈリンクを確立する段階と、
前記第１電子デバイスが、Ｗｉ−Ｆｉ無線アクセスポイントとのＷｉ−Ｆｉリンクを確立し、前記第２電子デバイスが、前記Ｗｉ−Ｆｉ無線アクセスポイントとのＷｉ−Ｆｉリンクを確立し、前記第１電子デバイスが、Ｗｉ−Ｆｉ  Ｄｉｒｅｃｔによって前記第２電子デバイスに接続することで、Ｗｉ−Ｆｉ  Ｄｉｒｅｃｔリンクを形成する段階と、
前記第１電子デバイスが、画像情報を取得する段階であって、前記画像情報は、取得された画像を含む、段階と、
前記第１電子デバイスが、前記画像情報を、前記Ｗｉ−Ｆｉ  Ｄｉｒｅｃｔリンクを介して前記第２電子デバイスへ送信する段階と、
前記第２電子デバイスが、前記画像情報を受信した後に、前記第２電子デバイスのディスプレイ画面がオンであるか否かを決定する段階と、
前記第２電子デバイスが、前記ディスプレイ画面がオンであると決定した場合に、前記ディスプレイ画面上に前記画像を表示する段階と
を備える、方法。
【請求項５】
前記第２電子デバイスの前記ディスプレイ画面上に前記画像を表示する前記段階の後に、
前記第２電子デバイスが、前記ディスプレイ画面に対するユーザのタッチ操作を予め設定された時間内に受け付けるか否かを決定する段階と、
前記ディスプレイ画面に対する前記ユーザの前記タッチ操作が前記予め設定された時間内に受け付けられた場合に、前記タッチ操作に応答して前記第２電子デバイス上にグラフィカルユーザインタフェースを表示する段階であって、前記グラフィカルユーザインタフェースは、前記画像と、前記画像を編集するために用いられる制御とを含む、段階と
をさらに備える、請求項４に記載の方法。
【請求項６】
前記ディスプレイ画面に対する前記ユーザの前記タッチ操作が前記予め設定された時間内に受け付けられない場合に、前記ディスプレイ画面上に前記画像を表示することを停止する、請求項５に記載の方法。
【請求項７】
前記タッチ操作は、前記ディスプレイ画面上の任意の位置における前記ユーザのタッチ操作である、請求項６に記載の方法。
【請求項８】
前記画像情報は、前記第１電子デバイスのデバイスバージョンまたはデバイス名をさらに含む、請求項７に記載の方法。
【請求項９】
前記予め設定された時間の始点は、前記画像が前記ディスプレイ画面上に表示された時点である、請求項４に記載の方法。
【請求項１０】
プロセッサと、タッチスクリーンと、Ｗｉ−Ｆｉ装置と、Ｂｌｕｅｔｏｏｔｈ装置と、電源装置と、メモリとを備える電子デバイスであって、
前記電子デバイスが、前記Ｂｌｕｅｔｏｏｔｈ装置を用いて別の電子デバイスとのＢｌｕｅｔｏｏｔｈリンクを確立し、
前記Ｗｉ−Ｆｉ装置が、Ｗｉ−Ｆｉ無線アクセスポイントとのＷｉ−Ｆｉリンクを確立し、前記第１電子デバイスが、Ｗｉ−Ｆｉ  Ｄｉｒｅｃｔによって前記別の電子デバイスに接続することで、Ｗｉ−Ｆｉ  Ｄｉｒｅｃｔリンクを形成し、
前記プロセッサが、前記メモリから画像情報を取得し、前記画像情報は、取得された画像および／または前記電子デバイスのデバイス情報を含み、
前記プロセッサが、前記画像情報を、前記Ｗｉ−Ｆｉ  Ｄｉｒｅｃｔリンクを介して前記別の電子デバイスへ送信し、
前記第２電子デバイスが、前記画像情報を受信した後に、前記第２電子デバイスのディスプレイ画面がオンであるか否かを決定し、
前記第２電子デバイスが、前記ディスプレイ画面がオンであると決定した場合に、前記ディスプレイ画面上に前記画像および前記デバイス情報を表示する、または、前記第２電子デバイスが、前記ディスプレイ画面がオンでないと決定した場合に、前記ディスプレイ上における前記画像または前記デバイス情報の表示をスキップする、
電子デバイス。
【請求項１１】
メモリと、プロセッサと、前記メモリに記憶され、前記プロセッサにおいて動作可能であるコンピュータプログラムとを備えるコンピュータデバイスであって、前記プロセッサは、以下の複数の段階、すなわち、
第１電子デバイスが、Ｂｌｕｅｔｏｏｔｈによって第２電子デバイスとのＢｌｕｅｔｏｏｔｈリンクを確立する段階と、
前記第１電子デバイスが、Ｗｉ−Ｆｉ無線アクセスポイントとのＷｉ−Ｆｉリンクを確立し、前記第２電子デバイスが、前記Ｗｉ−Ｆｉ無線アクセスポイントとのＷｉ−Ｆｉリンクを確立し、前記第１電子デバイスが、Ｗｉ−Ｆｉ  Ｄｉｒｅｃｔによって前記第２電子デバイスに接続することで、Ｗｉ−Ｆｉ  Ｄｉｒｅｃｔリンクを形成する段階と、
前記第１電子デバイスが、画像情報を取得する段階であって、前記画像情報は、取得された画像を含む、段階と、
前記第１電子デバイスが、前記画像情報を、前記Ｗｉ−Ｆｉ  Ｄｉｒｅｃｔリンクを介して前記第２電子デバイスへ送信する段階と、
前記第２電子デバイスが、前記画像情報を受信した後に、前記第２電子デバイスのディスプレイ画面がオンであるか否かを決定する段階と、
前記第２電子デバイスが、前記ディスプレイ画面がオンであると決定した場合に、前記ディスプレイ画面上に前記画像を表示する段階と
を実装するように前記コンピュータプログラムを実行し、
前記第２電子デバイスの前記ディスプレイ画面上に前記画像を表示する前記段階の後に、前記方法は、
前記第２電子デバイスが、前記ディスプレイ画面に対するユーザのタッチ操作を予め設定された時間内に受け付けるか否かを決定する段階と、
前記ディスプレイ画面に対する前記ユーザの前記タッチ操作が前記予め設定された時間内に受け付けられた場合に、前記タッチ操作に応答して前記第２電子デバイス上にグラフィカルユーザインタフェースを表示する段階であって、前記グラフィカルユーザインタフェースは、前記画像と、前記画像を編集するために用いられる制御とを含む、段階と
をさらに含む、コンピュータデバイス。
【請求項１２】
前記第２電子デバイスの前記ディスプレイ画面上に前記画像を表示する前記段階の後に、前記複数の段階は、
前記第２電子デバイスが、前記ディスプレイ画面に対するユーザのタッチ操作を予め設定された時間内に受け付けるか否かを決定する段階と、
前記ディスプレイ画面に対する前記ユーザの前記タッチ操作が前記予め設定された時間内に受け付けられた場合に、前記タッチ操作に応答して前記第２電子デバイス上にグラフィカルユーザインタフェースを表示する段階であって、前記グラフィカルユーザインタフェースは、前記画像と、前記画像を編集するために用いられる制御とを含む、段階と
をさらに含む、請求項１１に記載のコンピュータデバイス。
【請求項１３】
命令を備えるコンピュータ可読記憶媒体であって、前記命令は、コンピュータ上で動作するときに、請求項１から９のいずれか一項に記載の方法を前記コンピュータが実行することを可能とする、コンピュータ可読記憶媒体。
【請求項１４】
命令を備えるコンピュータプログラム製品であって、前記命令は、コンピュータ上で動作するときに、請求項１から９のいずれか一項に記載の方法を前記コンピュータが実行することを可能とする、コンピュータプログラム製品。
【発明の詳細な説明】
【技術分野】
【０００１】
本発明の実施形態は、データ処理の分野に関し、特に画像共有方法および電子デバイスに関する。
【背景技術】
【０００２】
モバイルインターネットの急速な発達に伴い、ファイル（ピクチャおよび動画など）を互いに共有し得る電子デバイス（携帯電話およびタブレットコンピュータなど）の数がますます増えている。例えば、ユーザが携帯電話Ａ上でいくつかのピクチャを選択し、Ｗｉ−Ｆｉ（登録商標）またはＢｌｕｅｔｏｏｔｈ（登録商標）を有効化し、送信対象を見つけ、これらのピクチャをＷｉ−ＦｉまたはＢｌｕｅｔｏｏｔｈによって指定の携帯電話Ｂへ送信する場合がある。携帯電話Ｂのユーザは、携帯電話Ａのユーザにより共有されるピクチャの受信を確認する必要がある。携帯電話Ｂが受信を確認した場合に、携帯電話Ｂは当該ピクチャを保存する。従来技術では、２つの電子デバイス間でファイルを共有するための方法が非常に複雑なので、当該方法においてはユーザが多数の操作を行う必要があり、そのため、電子デバイス間でファイルを共有する効率が低くなり、電子デバイスとユーザとの間での知的対話の性能が低減することがわかる。
【発明の概要】
【０００３】
上述の技術的課題を解決するために、本願の実施形態は、画像共有方法および電子デバイスを提供する。それにより、電子デバイスが画像を共有するときに、ユーザの操作ステップ数を低減することができ、電子デバイスのトランザクション処理効率を高めることができ、電子デバイスとユーザとの間での知的対話の性能を向上させることができる。
【０００４】
第１の態様によれば、本願の一実施形態は、画像共有方法を提供し、本方法は、タッチスクリーンを有する電子デバイス上で実装される。本方法は、第１電子デバイスが、Ｂｌｕｅｔｏｏｔｈによって第２電子デバイスとのＢｌｕｅｔｏｏｔｈリンクを確立する段階と、第１電子デバイスが、Ｗｉ−Ｆｉ無線アクセスポイントとのＷｉ−Ｆｉリンクを確立し、第２電子デバイスが、Ｗｉ−Ｆｉ無線アクセスポイントとのＷｉ−Ｆｉリンクを確立し、第１電子デバイスが、Ｗｉ−Ｆｉ  Ｄｉｒｅｃｔによって第２電子デバイスに接続することで、Ｗｉ−Ｆｉ  Ｄｉｒｅｃｔリンクを形成する段階と、第１電子デバイスが、画像情報を取得する段階であって、画像情報は、取得された画像と第１電子デバイスのデバイス情報とを含み、画像は、スクリーンショットであるか、または第１電子デバイスのカメラを用いてキャプチャされた画像である、段階と、第１電子デバイスが、取得された画像情報を、Ｗｉ−Ｆｉ  Ｄｉｒｅｃｔリンクを介して第２電子デバイスへ送信する段階と、第２電子デバイスが、画像情報を受信した後に、第２電子デバイスのディスプレイ画面がオンであるか否かを決定する段階と、第２電子デバイスが、ディスプレイ画面がオンであると決定した場合に、ディスプレイ画面上に画像およびデバイス情報を表示する段階、または、第２電子デバイスが、ディスプレイ画面がオンでないと決定した場合に、ディスプレイ上における画像またはデバイス情報の表示をスキップする段階とを備えてよく、第２電子デバイスのディスプレイ画面上に画像およびデバイス情報を表示する段階の後に、本方法は、第２電子デバイスが、ディスプレイ画面に対するユーザのタッチ操作を予め設定された時間内に受け付けるか否かを決定する段階と、ディスプレイ画面に対するユーザのタッチ操作が予め設定された時間内に受け付けられた場合に、タッチ操作に応答して第２電子デバイス上にグラフィカルユーザインタフェースを表示する段階であって、グラフィカルユーザインタフェースは、画像と、画像を編集するために用いられる制御とを含む、段階、または、ディスプレイ画面に対するユーザのタッチ操作が予め設定された時間内に受け付けられない場合に、ディスプレイ画面上に画像およびデバイス情報を表示することを停止する段階とをさらに備えてよい。上述の技術的解決手段によれば、電子デバイスが画像を共有するときに、ユーザの操作ステップ数を低減することができ、電子デバイスのトランザクション処理効率を高めることができ、電子デバイスとユーザとの間での知的対話の性能を向上させることができる。
【０００５】
可能な実装形態において、ディスプレイ画面上に画像およびデバイス情報を表示する段階は、具体的には、第２電子デバイスのディスプレイ画面上のファイル内に画像を表示し、画像の下に画像説明を自動的に追加する段階であって、ファイルは、編集中のＷｏｒｄ文書であり、Ｗｏｒｄ文書は、複数の文字を有し、画像は、複数の文字の間に挿入され、画像が挿入された後に、Ｗｏｒｄ文書は、組版を自動的に調整し、ディスプレイ画面上に表示される、段階を含んでよい。自動編集を用いるこの技術的解決手段によれば、文書編集がより簡略になり、それにより電子デバイスの使用効率が高まる。
【０００６】
可能な実装形態において、第１電子デバイスが、画像情報を、Ｗｉ−Ｆｉ  Ｄｉｒｅｃｔリンクを介して第２電子デバイスへ送信する段階は、具体的には、第１電子デバイスが、第２電子デバイスと第１電子デバイスとの間の距離に基づいて、距離に対応する画像情報を、Ｗｉ−Ｆｉ  Ｄｉｒｅｃｔリンクを介して第２電子デバイスへ送信する段階を含んでよい。
【０００７】
第２の態様によれば、本願の一実施形態は、画像共有方法を提供する。本方法は、以下の複数の段階、すなわち、第１電子デバイスが、Ｂｌｕｅｔｏｏｔｈによって第２電子デバイスとのＢｌｕｅｔｏｏｔｈリンクを確立する段階と、第１電子デバイスが、Ｗｉ−Ｆｉ無線アクセスポイントとのＷｉ−Ｆｉリンクを確立し、第２電子デバイスが、Ｗｉ−Ｆｉ無線アクセスポイントとのＷｉ−Ｆｉリンクを確立し、第１電子デバイスが、Ｗｉ−Ｆｉ  Ｄｉｒｅｃｔによって第２電子デバイスに接続することで、Ｗｉ−Ｆｉ  Ｄｉｒｅｃｔリンクを形成する段階と、第１電子デバイスが、画像情報を取得する段階であって、画像情報は、取得された画像を含む、段階と、第１電子デバイスが、画像情報を、Ｗｉ−Ｆｉ  Ｄｉｒｅｃｔリンクを介して第２電子デバイスへ送信する段階と、第２電子デバイスが、画像情報を受信した後に、第２電子デバイスのディスプレイ画面がオンであるか否かを決定する段階と、第２電子デバイスが、ディスプレイ画面がオンであると決定した場合に、ディスプレイ画面上に画像を表示する段階とを備えてよい。上述の技術的解決手段によれば、電子デバイスが画像を共有するときに、ユーザの操作ステップ数を低減することができ、電子デバイスのトランザクション処理効率を高めることができ、電子デバイスとユーザとの間での知的対話の性能を向上させることができる。
【０００８】
可能な実装形態において、第２電子デバイスのディスプレイ画面上に画像を表示する段階の後に、本方法は、第２電子デバイスが、ディスプレイ画面に対するユーザのタッチ操作を予め設定された時間内に受け付けるか否かを決定する段階と、ディスプレイ画面に対するユーザのタッチ操作が予め設定された時間内に受け付けられた場合に、タッチ操作に応答して第２電子デバイス上にグラフィカルユーザインタフェースを表示する段階であって、グラフィカルユーザインタフェースは、画像と、画像を編集するために用いられる制御とを含む、段階とをさらに備えてよい。上述の実装形態によれば、ユーザが画像に関心があるときに、ユーザが更なる処理を行うように、電子デバイスがその画像についてより多数の制御を表示することができ、それにより電子デバイスとユーザとの間の知的対話の性能が向上し、ユーザエクスペリエンスが向上する。
【０００９】
可能な実装形態において、ディスプレイ画面に対するユーザのタッチ操作が予め設定された時間内に受け付けられない場合に、ディスプレイ画面上に画像を表示することを停止する。ユーザのタッチ操作が受け付けられない場合、これは、ユーザが画像に関心がないことを示す。したがって、電子デバイスが画像を表示する必要がない。これにより、電子デバイスの知的対話の性能がさらに向上する。
【００１０】
可能な実装形態において、タッチ操作は、ディスプレイ画面上の任意の位置におけるユーザのタッチ操作である。これにより、ユーザは、ディスプレイ画面上の位置を特別にタッチする必要がなく、比較的簡便な方式で操作を行うことができ、それにより、ユーザが画像に関心があることを電子デバイスが感知する。
【００１１】
可能な実装形態において、画像情報は、第１電子デバイスのデバイスバージョンまたはデバイス名をさらに含む。第２電子デバイス上に画像が表示されるときに、第１電子デバイスのデバイスバージョンがさらに表示される。これにより、ユーザは、誰が画像を送信したかを視覚的に把握することができ、それにより電子デバイスの知的対話の性能がさらに向上し、ユーザエクスペリエンスが向上する。
【００１２】
可能な実装形態において、予め設定された時間の始点は、画像がディスプレイ画面上に表示された時点である。
【００１３】
第３の態様によれば、本願の一実施形態は、電子デバイスを提供する。電子デバイスは、プロセッサと、タッチスクリーンと、Ｗｉ−Ｆｉ装置と、Ｂｌｕｅｔｏｏｔｈ装置と、電源装置と、メモリとを備えてよい。電子デバイスは、Ｂｌｕｅｔｏｏｔｈ装置を用いて別の電子デバイスとのＢｌｕｅｔｏｏｔｈリンクを確立する。Ｗｉ−Ｆｉ装置は、Ｗｉ−Ｆｉ無線アクセスポイントとのＷｉ−Ｆｉリンクを確立する。電子デバイスは、Ｗｉ−Ｆｉ  Ｄｉｒｅｃｔによって当該別の電子デバイスに接続することで、Ｗｉ−Ｆｉ  Ｄｉｒｅｃｔリンクを形成する。プロセッサは、メモリから画像情報を取得し、画像情報は、取得された画像および／または電子デバイスのデバイス情報を含む。プロセッサは、画像情報をＷｉ−Ｆｉ  Ｄｉｒｅｃｔリンクを介して当該別の電子デバイスへ送信する。当該別の電子デバイスは、画像情報を受信した後に、当該別の電子デバイスのディスプレイ画面がオンであるか否かを決定する。第２電子デバイスは、ディスプレイ画面がオンであると決定した場合に、ディスプレイ画面上に画像およびデバイス情報を表示する。第２電子デバイスは、ディスプレイ画面がオンでないと決定した場合に、ディスプレイ上における画像またはデバイス情報の表示をスキップする。上述の技術的解決手段によれば、電子デバイスが画像を共有するときに、ユーザの操作ステップ数を低減することができ、電子デバイスのトランザクション処理効率を高めることができ、電子デバイスとユーザとの間での知的対話の性能を向上させることができる。
【００１４】
第４の態様によれば、本願の一実施形態は、コンピュータデバイスを提供する。コンピュータデバイスは、メモリと、プロセッサと、メモリに記憶され、プロセッサにおいて動作可能であるコンピュータプログラムとを備えてよく、プロセッサは、以下の複数の段階、すなわち、第１電子デバイスが、Ｂｌｕｅｔｏｏｔｈによって第２電子デバイスとのＢｌｕｅｔｏｏｔｈリンクを確立する段階と、第１電子デバイスが、Ｗｉ−Ｆｉ無線アクセスポイントとのＷｉ−Ｆｉリンクを確立し、第２電子デバイスが、Ｗｉ−Ｆｉ無線アクセスポイントとのＷｉ−Ｆｉリンクを確立し、第１電子デバイスが、Ｗｉ−Ｆｉ  Ｄｉｒｅｃｔによって第２電子デバイスに接続することで、Ｗｉ−Ｆｉ  Ｄｉｒｅｃｔリンクを形成する段階と、第１電子デバイスが、画像情報を取得する段階であって、画像情報は、取得された画像を含む、段階と、第１電子デバイスが、画像情報を、Ｗｉ−Ｆｉ  Ｄｉｒｅｃｔリンクを介して第２電子デバイスへ送信する段階と、第２電子デバイスが、画像情報を受信した後に、第２電子デバイスのディスプレイ画面がオンであるか否かを決定する段階と、第２電子デバイスが、ディスプレイ画面がオンであると決定した場合に、ディスプレイ画面上に画像を表示する段階とを実装するようにコンピュータプログラムを実行する。
【００１５】
可能な実装形態において、第２電子デバイスのディスプレイ画面上に画像を表示する段階の後に、本方法は、第２電子デバイスが、ディスプレイ画面に対するユーザのタッチ操作を予め設定された時間内に受け付けるか否かを決定する段階と、ディスプレイ画面に対するユーザのタッチ操作が予め設定された時間内に受け付けられた場合に、タッチ操作に応答して第２電子デバイス上にグラフィカルユーザインタフェースを表示する段階であって、グラフィカルユーザインタフェースは、画像と、画像を編集するために用いられる制御とを含む、段階とをさらに備えてよい。上述の実装形態によれば、ユーザが画像に関心があるときに、ユーザが更なる処理を行うように、電子デバイスがその画像についてより多数の制御を表示することができ、それにより電子デバイスとユーザとの間の知的対話の性能が向上し、ユーザエクスペリエンスが向上する。
【００１６】
本願の別の態様によれば、コンピュータ可読記憶媒体が提供される。コンピュータ可読記憶媒体は、命令を記憶し、命令は、コンピュータ上で動作するときに、上述の態様に係る方法をコンピュータが実行することを可能とする。
【００１７】
本願の別の態様によれば、命令を備えるコンピュータプログラム製品が提供され、命令は、コンピュータ上で動作するときに、上述態様に係る方法をコンピュータが実行することを可能とする。
【００１８】
本明細書において、技術的特徴、技術的解決手段、利点、または類似の語についての説明は、全ての特性および利点が任意の単一の実施形態において実装され得ることを示唆するものではないことが理解されるべきである。また反対に、特徴または利点についての説明は、少なくとも１つの実施形態が特定の技術的特徴、技術的解決手段、または利点を含むことを意味することを理解されたい。したがって、本明細書において、技術的特徴、技術的解決手段、または利点についての説明は、必ずしも同じ実施形態に含まれるものではない。加えて、以下の実施形態において説明する技術的特徴、技術的解決手段、および利点は、さらに任意の適切な方式で組み合わされてよい。当業者であれば、一の実施形態が、特定の実施形態における１または複数の特定の技術的特徴、技術的解決手段、または利点を伴わずに実装され得ることを理解されよう。別の実施形態では、全ての実施形態を反映しない特定の実施形態においてさらなる技術的特徴および利点が特定され得る。
【図面の簡単な説明】
【００１９】
【図１】いくつかの実施形態に係る、通信ネットワークにおける様々な電子デバイスの環境の概略図である。
【図２】いくつかの実施形態に係る、携帯電話、タブレットコンピュータ、およびポータブルコンピュータの使用シナリオの概略図である。
【図３】いくつかの実施形態に係る電子デバイスのハードウェアの概略構造図である。
【図４】いくつかの実施形態に係る方法の概略フローチャートである。
【図５】いくつかの実施形態に係る、電子デバイス上に表示されるグラフィカルユーザインタフェースの概略図である。
【図６Ａ】いくつかの他の実施形態に係る、電子デバイス上に表示されるいくつかの他のグラフィカルユーザインタフェースの概略図である。
【図６Ｂ】いくつかの他の実施形態に係る、電子デバイス上に表示されるいくつかの他のグラフィカルユーザインタフェースの概略図である。
【図６Ｃ】いくつかの他の実施形態に係る、電子デバイス上に表示されるいくつかの他のグラフィカルユーザインタフェースの概略図である。
【図６Ｄ】いくつかの他の実施形態に係る、電子デバイス上に表示されるいくつかの他のグラフィカルユーザインタフェースの概略図である。
【図７Ａ】いくつかの他の実施形態に係る、電子デバイス上に表示されるいくつかの他のグラフィカルユーザインタフェースの概略図である。
【図７Ｂ】いくつかの他の実施形態に係る、電子デバイス上に表示されるいくつかの他のグラフィカルユーザインタフェースの概略図である。
【図８Ａ】いくつかの他の実施形態に係る電子デバイスの使用シナリオの概略図である。
【図８Ｂ】いくつかの他の実施形態に係る電子デバイスの使用シナリオの概略図である。
【図９】いくつかの実施形態に係る、第１電子デバイスおよび第２電子デバイスのディスプレイ画面上のいくつかのグラフィカルユーザインタフェースである。
【図１０Ａ】いくつかの実施形態に係る、第２電子デバイス上に表示されるいくつかのグラフィカルユーザインタフェースである。
【図１０Ｂ】いくつかの実施形態に係る、第２電子デバイス上に表示されるいくつかのグラフィカルユーザインタフェースである。
【図１０Ｃ】いくつかの実施形態に係る、第２電子デバイス上に表示されるいくつかのグラフィカルユーザインタフェースである。
【図１１Ａ】いくつかの実施形態に係る、第１電子デバイス上に表示されるいくつかのグラフィカルユーザインタフェースである。
【図１１Ｂ】いくつかの実施形態に係る、第１電子デバイス上に表示されるいくつかのグラフィカルユーザインタフェースである。
【図１２】いくつかの実施形態に係る、ポータブルコンピュータのディスプレイ画面上に画像を表示する概略図である。
【図１３】いくつかの他の実施形態に係る電子デバイスの概略構造図である。
【図１４】いくつかの他の実施形態に係る電子デバイスの使用シナリオの概略図である。
【発明を実施するための形態】
【００２０】
以下の実施形態における電子デバイスは、無線通信機能を有する様々なデバイスであってよく、例えば、無線通信機能を有するウェアラブル電子デバイス（スマートウォッチなど）であってもよく、または携帯電話、ポータブルコンピュータ（ラップトップ）、およびタブレットコンピュータ等であってもよい。電子デバイスの具体的な形態は、以下の実施形態において特に限定されるものではない。
【００２１】
図１は、通信ネットワークにおける電子デバイスの環境の概略図である。例えば、携帯電話１０１は、無線リンク３１１を用いて、ネットワーク側の基地局３０５と無線通信を行ってよく、ポータブルコンピュータ１０２は、無線リンク３１２を用いて基地局３０５と無線通信を行ってよく、タブレットコンピュータ１０３は、無線リンク３１３を用いて基地局３０５と無線通信を行ってよい。これら３つのタイプの電子デバイスは同じセル（すなわち同じ基地局の信号カバレッジ領域）内にない場合もあるので、携帯電話１０１、ポータブルコンピュータ１０２、およびタブレットコンピュータ１０３は、異なる基地局と無線通信を行ってもよいことを理解されたい。本願のいくつかの他の実施形態において、携帯電話１０１は、無線リンク１２１を用いて無線アクセスポイント１０４と近距離無線通信を行ってよく、ポータブルコンピュータ１０２は、無線リンク１２２を用いて無線アクセスポイント１０４と近距離無線通信を行ってよく、タブレットコンピュータ１０３は、無線リンク１２３を用いて無線アクセスポイント１０４と近距離無線通信を行ってよい。近距離無線通信は、Ｗｉ−Ｆｉに関連する標準プロトコルに準拠する無線通信であってよい。これに対応して、無線アクセスポイント１０４は、Ｗｉ−Ｆｉホットスポットであってよい。近距離無線通信は、代替的に、Ｂｌｕｅｔｏｏｔｈに関連する標準プロトコルに準拠する無線通信であってよい。これに対応して、無線アクセスポイント１０４は、Ｂｌｕｅｔｏｏｔｈビーコン（ｂｅａｃｏｎ）であってよい。本願のいくつかの他の実施形態において、携帯電話１０１、ポータブルコンピュータ１０２、およびタブレットコンピュータ１０３は、代替的に、別の無線通信方式で互いに通信してよい。
【００２２】
本願のいくつかの実施形態において、図２に示すように、携帯電話１０１、ポータブルコンピュータ１０２、およびタブレットコンピュータ１０３は、Ｗｉ−Ｆｉ  Ｄｉｒｅｃｔによって互いとのＷｉ−Ｆｉリンクを確立することで、無線ローカルエリアネットワークを形成してよい。これら３つの電子デバイスは、当該無線ローカルエリアネットワークを用いて、ファイル（ピクチャ、動画、または文書など）を互いに伝送（すなわち送信）してよい。本願のいくつかの他の実施形態において、これら３つの電子デバイスは代替的に、Ｂｌｕｅｔｏｏｔｈビーコンによって互いとのＢｌｕｅｔｏｏｔｈリンクを確立することで、無線ローカルエリアネットワークを形成してもよい。これら３つの電子デバイスは代替的に、当該無線ローカルエリアネットワークを用いてファイルを伝送してよい。
【００２３】
図３は、以下の実施形態を実装するための電子デバイス３００のハードウェアの概略構造図である。以下、一例として、図３に示す電子デバイス３００を用いて具体的な説明を提供する。図示の電子デバイス３００は、電子デバイスの単なる一例であり、電子デバイス３００は、図示のものよりも多数または少数のコンポーネントを有してもよく、２つ以上のコンポーネントの組み合わせを有してもよく、または異なるコンポーネントの構成を有してもよいことが理解されるべきである。図示のコンポーネントは、１または複数の信号処理および／または特定用途向け集積回路を含む、ハードウェア、ソフトウェア、またはハードウェアおよびソフトウェアの組み合わせにおいて実装されてよい。
【００２４】
図３に示すように、電子デバイス３００は、具体的には、プロセッサ３０１、無線周波数（ＲＦ）回路３０２、メモリ３０３、タッチスクリーン３０４、Ｂｌｕｅｔｏｏｔｈ装置３０５、１または複数のセンサ３０６、Ｗｉ−Ｆｉ装置３０７、測位装置３０８、音声回路３０９、周辺インタフェース３１０、および電源装置３１１などのコンポーネントを含んでよい。これらのコンポーネントは、１または複数の通信バスまたは信号線（図３には示していない）を用いて互いと通信してよい。当業者であれば、図３に示すハードウェア構造は電子デバイスに対する限定となるものではなく、電子デバイス３００は図示のものよりも多数または少数のコンポーネントを含んでもよく、またはいくつかのコンポーネントが組み合わされてもよく、または異なるコンポーネントの配置が用いられてもよいことは理解されよう。
【００２５】
以下、図３を参照して電子デバイス３００のコンポーネントについて具体的に説明する。
【００２６】
プロセッサ３０１は、電子デバイス３００の制御センタであり、様々なインタフェースおよびラインを用いて電子デバイス３００の様々な部分に接続される。プロセッサ３０１は、メモリ３０３に記憶されたアプリケーションプログラムを動作または実行し、メモリ３０３に記憶されたデータを呼び出すことにより、電子デバイス３００の様々な機能およびデータ処理を実行する。いくつかの実施形態において、プロセッサ３０１は、１または複数の処理ユニットを含んでよい。プロセッサ３０１は、さらにアプリケーションプロセッサおよびモデムプロセッサと統合されてよい。アプリケーションプロセッサは主に、オペレーティングシステム、ユーザインタフェース、およびアプリケーションプログラム等を処理する。モデムプロセッサは主に、無線通信を処理する。モデムプロセッサは、代替的に、プロセッサ３０１に統合されなくてもよいことを理解されたい。例えば、プロセッサ３０１は、Ｈｕａｗｅｉ  Ｔｅｃｈｎｏｌｏｇｉｅｓ社製のＫｉｒｉｎ  ９６０チップであってよい。
【００２７】
無線周波数回路３０２は、情報の受信および送信、または通話の間に、無線信号を受信および送信するよう構成されてよい。特に、無線周波数回路３０２は、基地局のダウンリンクデータを受信してよく、次いで当該ダウンリンクデータを処理のためにプロセッサ３０１へ送達する。加えて、無線周波数回路３０２は、アップリンク関連データを基地局へ送信する。多くの場合、無線周波数回路は、限定されるものではないが、アンテナ、少なくとも１つのアンプ、送受信機、カプラ、低ノイズアンプ、およびデュプレクサ等を含む。加えて、無線周波数回路３０２はさらに、無線通信によって別のデバイスと通信してもよい。無線通信は、限定されるものではないが、汎欧州デジタル移動電話システム、汎用パケット無線サービス、符号分割多元接続、広帯域符号分割多元接続、ロングタームエボリューション、電子メール、およびショートメッセージサービス等を含む任意の通信規格またはプロトコルを用いてよい。
【００２８】
メモリ３０３は、アプリケーションプログラムおよびデータを記憶するよう構成される。プロセッサ３０１は、電子デバイス３００の様々な機能およびデータ処理を実装するよう、メモリ３０３に記憶されたアプリケーションプログラムおよびデータを動作させる。メモリ３０３は主に、プログラム記憶領域およびデータ記憶領域を含む。プログラム記憶領域は、オペレーティングシステム、少なくとも１つの機能（音声再生機能または画像再生機能など）に必要なアプリケーションプログラムを記憶してよい。データ記憶領域は、電子デバイス３００の使用に基づいて作成されるデータ（音声データおよびアドレス帳など）を記憶してよい。加えて、メモリ３０３は、高速ランダムアクセスメモリを含んでよく、さらに、磁気ディスク記憶デバイスまたはフラッシュメモリなどの不揮発性メモリ、または別の揮発性固体記憶デバイス等を含んでよい。メモリ３０３は、例えばＡｐｐｌｅ社開発のｉＯＳ（登録商標）オペレーティングシステムおよびＧｏｏｇｌｅ社開発のＡｎｄｒｏｉｄ（登録商標）オペレーティングシステムといった様々なオペレーティングシステムを記憶してよい。
【００２９】
タッチスクリーン３０４は、タッチパネル３０４−１およびディスプレイ３０４−２を含んでよい。タッチパネル３０４−１は、電子デバイス３００に対するまたはその近傍での電子デバイス３００のユーザのタッチイベント（例えば、指またはスタイラスなどの任意の適した物体を用いた、タッチパネル３０４−１に対するまたはタッチパネル３０４−１の近傍でのユーザの操作）を収集し、収集したタッチ情報をプロセッサ３０１などの別のデバイスへ送信してよい。タッチパネル３０４−１の近傍でのユーザの操作は、フローティングタッチと称される場合があり、フローティングタッチを行うことが可能なタッチパネル３０４−１が、静電容量式、赤外線センス式、または超音波式などのタイプのタッチパネルに実装されてよい。タッチパネル３０４−１は、２つのコンポーネント、すなわちタッチ検出装置およびタッチコントローラを含んでよい。タッチ検出装置は、ユーザのタッチ位置を検出し、タッチ操作により生成される信号を検出し、当該信号をタッチコントローラへ伝達する。タッチコントローラは、タッチ検出装置からタッチ情報を受信し、タッチ情報をタッチ点座標に変換し、タッチ点座標をプロセッサ３０１へ送信する。タッチコントローラはさらに、プロセッサ３０１により送信される命令を受信して実行し得る。加えて、タッチパネル３０４−１は、抵抗式、静電容量式、赤外線式、および弾性表面波式などの複数のタイプのタッチパネルに実装されてよい。ディスプレイ（ディスプレイ画面とも称される）３０４−２は、ユーザにより入力される情報またはユーザに提供される情報、および電子デバイス３００の様々なメニューを表示するよう構成されてよい。ディスプレイ３０４−２は、液晶ディスプレイ、または有機発光ダイオード等を用いて構成されてよい。タッチパネル３０４−１は、ディスプレイ３０４−２を覆ってよい。タッチパネル３０４−１は、タッチパネル３０４−１に対するまたはその近傍でのタッチイベントを検出した後に、タッチイベントをプロセッサ３０１へ伝達して、タッチイベントのタイプを決定する。次いで、プロセッサ３０１は、タッチイベントのタイプに基づいて、対応する視覚的出力をディスプレイ３０４−２上に提供してよい。図３において、タッチパネル３０４−１およびディスプレイ画面３０４−２は、電子デバイス３００の入力機能および出力機能を実装するための２つの独立したコンポーネントとして用いられてよい。しかしながら、いくつかの実施形態において、タッチパネル３０４−１およびディスプレイ画面３０４−２は、電子デバイス３００の入力機能および出力機能を実装するよう統合されてよい。タッチスクリーン３０４は、複数の材料を積層することにより形成されることを理解されたい。本願の実施形態においては、タッチパネル（層）およびディスプレイ画面（層）のみを提示しており、別の層については本願の実施形態において詳細に説明しない。
【００３０】
Ｂｌｕｅｔｏｏｔｈ装置３０５は、電子デバイス３００と別の近距離電子デバイス（携帯電話またはスマートウォッチなど）との間でのデータ交換を実装するよう構成される。本願の実施形態におけるＢｌｕｅｔｏｏｔｈ装置は、集積回路またはＢｌｕｅｔｏｏｔｈチップであってよい。
【００３１】
電子デバイス３００は、光センサ、モーションセンサ、または別のセンサなどの少なくとも１つのセンサ３０６をさらに含んでよい。具体的には、光センサは、環境光センサおよび近接センサを含んでよい。環境光センサは、環境光の明るさに基づいてタッチスクリーン３０４のディスプレイの明るさを調整することができ、近接センサは、電子デバイス３００が耳に動かされたときにディスプレイの電源をオフにすることができる。モーションセンサの１タイプとして、加速度センサは、様々な方向（一般的には３軸）における加速度の大きさを検出することができ、静止状態では重力の大きさおよび方向を検出することができ、携帯電話の姿勢を認識するアプリケーション（例えば、横向きと縦向きとの切り替え、関連するゲーム、および磁気計の姿勢較正）、および振動認識に関連する機能（歩数計およびノックなど）等に適用されてよい。ジャイロスコープ、気圧計、湿度計、温度計、および赤外線センサなどの別のセンサが、さらに電子デバイス３００内に構成されてもよい。詳細についてはここでは説明しない。
【００３２】
Ｗｉ−Ｆｉ装置３０７は、Ｗｉ−Ｆｉに関連する標準プロトコルに準拠するネットワークアクセスを電子デバイス３００に提供するよう構成される。電子デバイス３００は、Ｗｉ−Ｆｉ装置３０７を用いてＷｉ−Ｆｉ無線アクセスポイントにアクセスし、ユーザによる電子メールの受信および送信、ウェブページの閲覧、およびストリーミング媒体へのアクセスなどを援助してよい。電子デバイス３００は、無線広帯域インターネットアクセスをユーザに提供する。いくつかの他の実施形態において、Ｗｉ−Ｆｉ装置３０７は、代替的に、Ｗｉ−Ｆｉ無線アクセスポイントとして機能してよく、Ｗｉ−Ｆｉネットワークアクセスを別の電子デバイスに提供してよい。
【００３３】
測位装置３０８は、地理的位置を電子デバイス３００に提供するよう構成される。測位装置３０８は、具体的には、全地球測位システム（ＧＰＳ）、北斗衛星導航系統、またはロシアのＧＬＯＮＡＳＳなどの測位システムの受信機であってよいことを理解されたい。測位装置３０８は、測位システムにより送信される地理的位置を受信した後に、情報を処理のためにプロセッサ３０１へ送信する、または情報を記憶のためにメモリ３０３へ送信する。いくつかの他の実施形態において、測位装置３０８は、補助全地球測位システム（ＡＧＰＳ）の受信機であってよい。ＡＧＰＳは、補助および協働によるＧＰＳ測位を行う動作モードである。ＡＧＰＳは、基地局信号をＧＰＳ衛星信号と協働して用いることで、電子デバイス３００をより迅速に測位することが可能であってよい。ＡＧＰＳシステムにおいて、測位装置３０８は、補助測位クラウドサーバ（携帯電話測位クラウドサーバなど）と通信することにより、測位補助を得てよい。ＡＧＰＳシステムは、補助測位クラウドサーバとして機能して、測位装置３０８による測距サービスおよび測位サービスの遂行を援助する。この場合、補助測位クラウドサーバは、無線通信ネットワークを用いて、電子デバイス３００などの電子デバイスの測位装置３０８（すなわちＧＰＳ受信機）と通信することにより、測位補助を提供する。いくつかの他の実施形態において、測位装置３０８は代替的に、Ｗｉ−Ｆｉ無線アクセスポイントに基づく測位技術であってよい。各Ｗｉ−Ｆｉ無線アクセスポイントは、グローバル一意ＭＡＣアドレスを有し、電子デバイスは、Ｗｉ−Ｆｉが有効化されているときに、付近のＷｉ−Ｆｉ無線アクセスポイントのブロードキャスト信号をスキャンおよび収集することができる。したがって、Ｗｉ−Ｆｉ無線アクセスポイントによりブロードキャストされたＭＡＣアドレスが取得されてよい。電子デバイスは、Ｗｉ−Ｆｉ無線アクセスポイントを標示し得るこれらのデータ（例えばＭＡＣアドレス）を、無線通信ネットワークを用いて位置クラウドサーバへ送信し、クラウドサーバは、各Ｗｉ−Ｆｉ無線アクセスポイントの地理的位置をリトリーブし、Ｗｉ−Ｆｉブロードキャスト信号の強度を組み合わせることにより電子デバイスの地理的位置を算出し、地理的位置を電子デバイスの測位装置３０８へ送信する。
【００３４】
音声回路３０９、スピーカ３１３、およびマイク３１４は、ユーザと電子デバイス３００との間の音声インタフェースを提供してよい。音声回路３０９は、受信した音声データを電気信号に変換し、当該電気信号をスピーカ３１３へ伝送してよい。スピーカ３１３は、当該電気信号を音声信号に変換して出力する。加えて、マイク３１４は、収集された音声信号を電気信号に変換する。音声回路３０９は、当該電気信号を受信し、当該電気信号を音声データに変換し、当該音声データを例えば別の携帯電話へ送信するために当該音声データをＲＦ回路３０２へ出力する、または更なる処理のために当該音声データをメモリ３０３へ出力する。
【００３５】
周辺インタフェース３１０は、外部入出力デバイス（キーボード、マウス、外部ディスプレイ、外部メモリ、および加入者識別モジュールなど）との様々なインタフェースを提供するよう構成される。例えば、マウスは、ユニバーサルシリアルバス（ＵＳＢ）インタフェースを用いて接続され、電気通信事業者により提供される加入者識別モジュール（ＳＩＭ）カードは、加入者識別モジュールスロットの金属接点を用いて接続される。周辺インタフェース３１０は、外部入出力周辺デバイスをプロセッサ３０１およびメモリ３０３に結合させるよう構成されてよい。
【００３６】
電子デバイス３００は、各コンポーネントに電力を供給するための電源装置３１１（バッテリまたは電力管理チップなど）をさらに含んでよい。バッテリは、電力管理チップを用いてプロセッサ３０１に論理的に接続されてよく、それにより、電源装置３１１を用いて、充放電管理および電力消費管理などの機能を実装する。
【００３７】
図３には示していないが、電子デバイス３００は、カメラ（正面カメラおよび背面カメラ）、フラッシュ、マイクロプロジェクタ、および近距離無線通信（ＮＦＣ）装置等をさらに含んでよい。詳細についてはここでは説明しない。
【００３８】
以下の実施形態における全ての方法は、上述のハードウェア構造を有する電子デバイス３００上で実装されてよい。
【００３９】
図４に示すように、本願の一実施形態は、画像共有方法を提供する。本方法は、第１電子デバイスおよび第２電子デバイス上で実装されてよい。これら２つの電子デバイスは、上述のハードウェア構造を有する電子デバイス３００であってよい。本方法は、具体的には、以下の段階を含んでよい。
【００４０】
段階Ｓ４０１：第１電子デバイスが、Ｂｌｕｅｔｏｏｔｈによって第２電子デバイスとのＢｌｕｅｔｏｏｔｈリンクを確立する。
【００４１】
段階Ｓ４０２：第１電子デバイスがＷｉ−Ｆｉ無線アクセスポイントとのＷｉ−Ｆｉリンクを確立し、第２電子デバイスがＷｉ−Ｆｉ無線アクセスポイントとのＷｉ−Ｆｉリンクを確立する。
【００４２】
段階Ｓ４０３：第１電子デバイスが画像を取得（またはキャプチャ）する。第１電子デバイスは、カメラを用いて画像をキャプチャしてもよく、または、特定の操作を行うことによりスクリーンショットを取得してもよく、取得されたスクリーンショットは、取得された画像でもある。
【００４３】
段階Ｓ４０４：第１電子デバイスが、画像をキャプチャした後に、Ｗｉ−Ｆｉリンクを介して第２電子デバイスへ画像を送信する。本願のいくつかの実施形態において、第１電子デバイスは、Ｗｉ−Ｆｉ  Ｄｉｒｅｃｔによって第２電子デバイスへ画像を伝送してよい。
【００４４】
段階Ｓ４０５：第２電子デバイスが、画像を受信した後に、第２電子デバイスのディスプレイ画面がオンであるときに画像を表示することを決定する。第２電子デバイスのディスプレイ画面がオンでない場合、第２電子デバイスは画像を表示しない。ディスプレイ画面がオンであるとは、具体的には、ディスプレイ画面の電源が入れられており、ディスプレイ画面上に表示される内容をユーザが視認できることを意味してよい。本願の別の実施形態において、オンであるディスプレイ画面は、代替的に、ディスプレイ画面上に表示されるロック画面インタフェースであってよい。したがって、画像は、代替的に、ロック画面インタフェース上に表示されてよい。
【００４５】
当該実施形態において、第１電子デバイスが取得された画像を第２電子デバイスへ直ちに伝送し、第２電子デバイスのディスプレイ画面がオンであるときに画像を表示する技術的解決手段によれば、ユーザは、モバイル通信ネットワークのデータトラフィックを消費することなく、より効率的かつより迅速に画像を伝送することができ、ユーザエクスペリエンスが向上する。
【００４６】
本願のいくつかの他の実施形態において、段階Ｓ４０１の前に、本方法は、以下の段階をさらに含んでよい。
【００４７】
段階Ｓ４００：第１電子デバイスおよび第２電子デバイスが、同じデバイスアカウントにログインする。本願の本実施形態において、デバイスアカウントの機能は、電子デバイスが特定のアカウントにログインして初めて電子デバイスのいくつかの機能が使用できることを意味する。例えば、指紋認識および連絡先同期などの機能は、電子デバイスがアカウントにログインして初めて使用することができ、電子デバイスがアカウントにログインしていないときはこれらの機能を使用することができない。ユーザがログインのために電子デバイス上でデバイスアカウントＩＤおよびパスワードを入力すると、認証情報（デバイスアカウントＩＤおよびパスワード）が、認証のためにモバイルネットワークを用いてクラウドサーバへ送信され得る。認証に成功したときのみ、電子デバイスがデバイスアカウントにログインし、関連する機能が使用できるようになる。クラウドサーバは主に電子デバイスのデバイスアカウントに対する認証を行い、したがってクラウドサーバは、どの電子デバイスが同じデバイスアカウントにログインしているかを把握することができ、それらの電子デバイスと無線通信を行うことができることを理解されたい。本願のいくつかの他の実施形態において、本方法は、以下の段階をさらに含んでよい。
【００４８】
段階Ｓ４０６：第２電子デバイスが、ユーザの操作が予め設定された時間内（５秒以内など）に受け付けられたか否かを決定し、ユーザの操作が予め設定された時間内に受け付けられた場合、第２電子デバイスが段階Ｓ４０７を行う、または、ユーザの操作が予め設定された時間内に受け付けられない場合、第２電子デバイスが段階Ｓ４０８を行う。当該操作は、電子デバイスに対してユーザにより行われる任意の操作であってよい。例えば、ユーザの指がディスプレイ画面をタッチし、ユーザが第２電子デバイスの側部の音量キーを押す。
【００４９】
段階Ｓ４０７：画像が表示されたときに、画像を操作するための仮想ボタン、リンクまたはアイコンなどの制御を表示する。図１０Ｂに示すように、ディスプレイ画面に対してユーザの指１００３により行われるタッチ操作が予め設定された時間内に受け付けられた後、画像１００１が表示されるときに、２つの仮想ボタン１００４および１００５がさらに表示され、それによりユーザが画像に対する操作を行う。ユーザの操作が予め設定された時間内に受け付けられた場合、これは、ユーザが画像に関心があることを示す。したがって、より多数の制御がディスプレイ画面上に表示される。これにより、ユーザがその後画像に対して様々な操作を簡便に行うことができ、第２電子デバイスとユーザとの間の知的対話の性能が向上する。
【００５０】
段階Ｓ４０８：第２電子デバイスのディスプレイ画面上に画像を表示することを停止する。第２電子デバイスが、予め設定された時間内にユーザの操作が受け付けられないと決定したとき、これはユーザが、画像を視認したものの、画像を保存する意思がない、または画像に対して別の操作を行う意思がないことを示す。この場合、第２電子デバイスは、画像を表示する必要がなく、画像をメモリに保存する必要がない。これにより、第２電子デバイスの知的レベルが向上する。
【００５１】
当該実施形態において、段階Ｓ４００、段階Ｓ４０１、および段階Ｓ４０２の間に確定的な順序はない。例えば、別の実施形態において、段階Ｓ４０２が段階Ｓ４０１の前に行われてもよく、または段階Ｓ４００が段階Ｓ４０２の後に行われてもよいが、これは以下の段階が全て段階Ｓ４０３の前に完了することが条件である：２つの電子デバイスが同じＷｉ−Ｆｉ無線アクセスポイントとのＷｉ−Ｆｉリンクを確立し、Ｂｌｕｅｔｏｏｔｈリンクが２つの電子デバイスの間に確立され、２つの電子デバイスが同じデバイスアカウントにログインする。本願のいくつかの他の実施形態において、段階Ｓ４０４は、具体的には以下の通りであってよい。
【００５２】
第１電子デバイスが、画像をキャプチャした後に、まず第２電子デバイスのディスプレイ画面がオンであるか否かを決定してよい。第１電子デバイスは、第２電子デバイスのディスプレイ画面がオンであると決定した場合に、キャプチャされた画像を、無線リンクを介して第２電子デバイスへ伝送する。または、第１電子デバイスは、第２電子デバイスのディスプレイ画面がオフであると決定した場合に、画像を第２電子デバイスへ伝送しなくてよい。
【００５３】
第２電子デバイスのディスプレイ画面がオンであるか否かを第１電子デバイスが決定するための具体的方法は、画面がオフであるか否か、メモリ容量、およびデバイスハードウェア／ソフトウェアバージョン情報などの現在のデバイス状態情報を、第２電子デバイスが無線リンク（ＢｌｕｅｔｏｏｔｈリンクまたはＷｉ−Ｆｉリンクなど）を介して第１電子デバイスへ能動的にフィードバックすることであってよい。第１電子デバイスは次いで、第２電子デバイスによりフィードバックされたデバイス状態情報に基づいて、第２電子デバイスのディスプレイ画面がオンであるか否かを決定する。本願のいくつかの他の実施形態において、第２電子デバイスのディスプレイ画面がオンであるか否かを第１電子デバイスが決定するための方法は、代替的に、クラウドサーバにより送信されるメッセージを用いて、第２電子デバイスのディスプレイ画面がオンであるか否かを決定することであってよい。例えば、第１電子デバイスおよび第２電子デバイスが同じデバイスアカウントにログインしているので、クラウドサーバは、２つの電子デバイスのディスプレイ画面情報（画面がオフであるか否かおよびサイズなど）、メモリ容量、およびデバイスハードウェア／ソフトウェアバージョン情報などの何らかのデバイス情報を収集することができる。第１電子デバイスは、クラウドサーバに、クエリを実行して第２電子デバイスのディスプレイ画面についての情報を返送するよう要求し得る。クラウドサーバは、クエリを実行し、メッセージを第１電子デバイスへ返送する。これにより、第１電子デバイスは、第２電子デバイスのディスプレイ画面がオンであるか否かを決定し、画像を第２電子デバイスへ送信するか否かを決定することができる。本願の本実施形態において、第１電子デバイスは、第２電子デバイスのディスプレイ画面がオンであるときにのみ、キャプチャされた画像を第２電子デバイスへ送信する。
【００５４】
本願のいくつかの他の実施形態において、第１電子デバイスは、キャプチャされた画像に加えて、第１電子デバイスのデバイスバージョンおよびデバイス名などの第１電子デバイスのデバイス情報を第２電子デバイスへさらに伝送してよい。技術的実装に関して、第１電子デバイスは、画像情報を第２電子デバイスへ送信してよく、画像情報は、キャプチャされた画像およびデバイス情報を含んでよい。第２電子デバイスは、画像情報を受信した後に、ディスプレイ画面上に画像およびデバイス情報の両方を表示してよい。例えば、第２電子デバイスは、画像を表示するときに、第１電子デバイスのデバイス情報に関連する情報をさらに表示してよい。図１０Ａに示すように、画像１００１に加えて、プロンプトボックス１００２が第２電子デバイスのディスプレイ画面上に表示され、プロンプトボックス１００２は、画像が第１電子デバイスからのものであることを示す。これにより、誰が画像を伝送したのかを第２電子デバイスのユーザが把握することができる。
【００５５】
以下、本願の本実施形態において用いられる具体的な技術的解決手段について、画像共有方法の上述の実施形態に基づいて詳細に説明する。
【００５６】
本願の本実施形態においては、２つ以上の電子デバイスが用いられる。例えば、本実施形態においては、２つの電子デバイスの一例、すなわち第１電子デバイス１０１および第２電子デバイス１０３を用いて説明を提供する。第１電子デバイス１０１は、図３のハードウェア構造を有する携帯電話であってよく、第２電子デバイス１０３は、図３のハードウェア構造を有するタブレットコンピュータであってよい。
【００５７】
本願のいくつかの実施形態において、第１電子デバイス１０１および第２電子デバイス１０３は、電子デバイスのいくつかの機能が使用できるようになる前に、両方が特定のデバイスアカウントにログインする必要がある。例えば、連絡先同期および即時共有の機能は、第１電子デバイスがＨｕａｗｅｉ  ＩＤにログインして初めて使用することができ、これらの機能は、第１電子デバイスがＨｕａｗｅｉ  ＩＤにログインしていないときは使用できない。これは、第２電子デバイス１０３と同じであってよい。第１電子デバイス１０１を一例として用いると、図５に示すように、アイコン５０１は、様々なアプリケーションプログラム、ショートカット、およびウィジェット（ｗｉｄｇｅｔ）を表示するために第１電子デバイス１０１の３つのインタフェースが用いられることを示す。現在表示されているインタフェースは、メインインタフェースである。メインインタフェースは、ユーザの指を用いてキー５０３をタッチすることにより表示されてよい。キー５０３は、タッチスクリーン３０４の仮想キーであってもよく、または物理キーであってもよい。メインインタフェースは、代替的に、指を用いてタッチスクリーン３０４をスライドすることにより表示されてよい。ユーザの指は、アイコン５０２により表される設定にタッチしてよい。第１電子デバイスは、このようなタッチイベントに応答して、図６Ａに示すように、タッチスクリーン３０４上にグラフィカルユーザインタフェース（以下ＧＵＩと略記）を表示する。図６Ａにおいて、設定に関連する航空機モード、Ｗｉ−Ｆｉ、およびモバイルネットワークなどのメニューオプションが表示されている。航空機モード、Ｗｉ−Ｆｉ、およびＢｌｕｅｔｏｏｔｈのいずれも有効化されていない、またはオンになっていない。メニューオプション６０１は、Ｈｕａｗｅｉ  ＩＤに関連するメニューオプションを示す。ユーザは、アイコン６０２をタッチすることによりメニューオプション６０１の特定のインタフェースに入ってもよく、またはメニューオプション６０１における任意の領域をタッチすることによりメニューオプションに入ってもよい。図６Ｂに示すように、当該ＧＵＩ上において、ユーザが既にＨｕａｗｅｉ  ＩＤを有している場合、ユーザは、仮想ボタン６０３をクリックし、ログインのためにアカウントおよびパスワードを入力してよい。電子デバイスは、関連するデータをネットワーク側のクラウドサーバへ送信する。ユーザがＨｕａｗｅｉ  ＩＤを有しない場合、ユーザは、仮想ボタン６０４をクリックし、別のインタフェース上で登録情報を入力してＨｕａｗｅｉ  ＩＤの登録を完了してよい。クラウドクラウドサーバ上で認証が成功した後、クラウドサーバがデータを電子デバイスへ返送し、次いで図６Ｃに示すように、電子デバイスがログインするＨｕａｗｅｉ  ＩＤに関連する情報が電子デバイス上に表示される。図６Ｃにおいて、表示されるＧＵＩは、当該アカウントのユーザプロフィールピクチャ６０５およびアカウント情報６０６（デバイスアカウントＩＤ、ユーザレベル、および連絡先情報等を含む）を含む。当該ＧＵＩは、いくつかの共通設定メニューオプションをさらに表示する。例えば、メニューオプション６０７は、連絡���同期のための機能メニューオプションを示す。仮想ボタン６０８は、連絡先同期の機能が現在有効化されていることを示す。別の例として、当該ＧＵＩは、メニューオプション６０９を表示する。メニューオプション６０９は、即時共有（Ｉｎｓｔａｎｔ  Ｓｈａｒｉｎｇ）の機能を示す。仮想ボタン６１０は、即時共有の機能が無効化されていることを示す。
【００５８】
本願において、即時共有の機能とは、ユーザが電子デバイスを用いてピクチャを撮影、動画を録画、またはスクリーンショットをキャプチャした後に、電子デバイスが収集されたピクチャ、動画、またはスクリーンショットを別の電子デバイスと直ちに共有できることを意味する。したがって、本願の本実施形態において、「即時」とは、画像（ピクチャ、動画、またはスクリーンショット）を取得する動作と、画像を別の電子デバイスへ送信する動作との間の時間的間隔が非常に短く、マイクロ秒単位で測定されてよいことを意味することを理解されたい。加えて、それら２つの動作の間には、ユーザ入力に基づいて行われる動作が存在しなくてよい。加えて、本願において、メニューオプション６０９の名称は「即時共有」であるが、この名称は本願に対する限定となるものではないことを理解されたい。本願の別の実施形態において、メニューオプション６０９の名称は、「即刻共有」などの別の名称であってもよい。
【００５９】
図６Ｃに示すように、ユーザ６１１の指が仮想ボタン６１０をクリックしたときに、即時共有の機能が有効化される。図６Ｄに示すように、図６Ｃの仮想ボタン６１０が仮想ボタン６１３に変化する。仮想ボタン６１３は、即時共有の機能が有効化されていることを示す。加えて、ＢｌｕｅｔｏｏｔｈまたはＷｉ−Ｆｉが有効化される。対応するシンボル６１１および６１２が、電子デバイスのステータスバー内に視認可能になる。電子デバイスのＢｌｕｅｔｏｏｔｈ装置は、同じくＢｌｕｅｔｏｏｔｈが有効化されている別の電子デバイスに対する検索およびペアリングを開始し、次いでＢｌｕｅｔｏｏｔｈリンクが２つの電子デバイス間に確立される。加えて、Ｂｌｕｅｔｏｏｔｈ装置がマスタモードで動作し、別の電子デバイスがスレーブモードで動作する。マスタモードおよびスレーブモードはいずれもＢｌｕｅｔｏｏｔｈ技術における用語であり、本明細書においては詳細に説明しない。検索およびペアリングなどの処理は、ユーザが関知しない方式で行われてよい。代替的に、ユーザが能動的に、関連するＧＵＩを用いて別の関連する電子デバイスを選択することで、ペアリングおよびＢｌｕｅｔｏｏｔｈリンクの確立を行ってもよい。加えて、Ｂｌｕｅｔｏｏｔｈ装置は、別の電子デバイスとのＢｌｕｅｔｏｏｔｈリンクをさらに確立してよい。技術的には、Ｂｌｕｅｔｏｏｔｈ装置は、最大７つのＢｌｕｅｔｏｏｔｈスレーブデバイスと同時に通信してよい。Ｂｌｕｅｔｏｏｔｈによって電子デバイスと他の電子デバイスとの間に確立されたリンクは、小規模無線ローカルエリアネットワークを形成してよい。本願のいくつかの他の実施形態において、電子デバイスが別の電子デバイスとのＢｌｕｅｔｏｏｔｈリンクを確立したときに、ユーザが関知する方式でユーザへのプロンプトが行われてよい。例えば、「ＢｌｕｅｔｏｏｔｈデバイスＡとのＢｌｕｅｔｏｏｔｈ接続が確立されました」がタッチスクリーン上に表示される。
【００６０】
即時共有の機能が有効化されるときに、電子デバイスのＷｉ−Ｆｉ装置もオンにされてよく、Ｗｉ−Ｆｉ装置は、Ｗｉ−Ｆｉ無線アクセスポイントによりブロードキャストされるＷｉ−Ｆｉ信号の検索を開始する。一連の手順および操作の後、電子デバイスは、Ｗｉ−Ｆｉ無線アクセスポイントにアクセスし、Ｗｉ−Ｆｉ無線アクセスポイントとのＷｉ−Ｆｉリンクを確立することができる。Ｂｌｕｅｔｏｏｔｈによる電子デバイス間での無線リンクの確立は、電子デバイス間のハンドシェイクと見なされてよく、それらの電子デバイスが互いを信頼することを示すことを理解されたい。電子デバイスがＷｉ−Ｆｉネットワークにアクセスするとき、これは電子デバイスが当該ネットワークを用いて任意の時間に別の電子デバイスへ画像を送信できることを示す。
【００６１】
図６Ａ〜図６Ｄから、第１電子デバイス１０１の即時共有の機能を有効化または無効化するための前提条件は、上述のＨｕａｗｅｉ  ＩＤなどの関連するデバイスアカウントに第１電子デバイス１０１が既にログインしていることであることがわかる。ログインされるデバイスアカウントは、即時共有のためのサブメニューを有する。本願の別の実施形態において、第１電子デバイスの即時共有の機能は、代替的に、第１電子デバイスを関連するデバイスアカウントにログインさせることなく有効化または無効化されてもよいことを理解されたい。図７Ａは、ユーザの指が図５の設定５０２をクリックした後に開かれる設定のＧＵＩである。当該ＧＵＩ上には、設定のメニューが表示されている。メニューオプション７０１は、即時共有のためのメニューオプションであり、仮想ボタン７０２は、即時共有の機能が無効化されていることを示す。加えて、仮想ボタン７０３により示されるようにＷｉ−Ｆｉ機能も無効化されており、仮想ボタン７０４により示されるようにＢｌｕｅｔｏｏｔｈも無効化されている。第１電子デバイスは、タッチスクリーンに対するユーザの指のタッチ操作を検出する。図７Ｂに示すように、タッチ操作に応答して、仮想ボタン７０２が仮想ボタン７０５に変化する。仮想ボタン７０５は、即時共有の機能が有効化されていることを示す。加えて、（仮想ボタン７０６により示されるように）Ｗｉ−Ｆｉ機能も有効化されており、（仮想ボタン７０７により示されるように）Ｂｌｕｅｔｏｏｔｈも有効化されている。加えて、Ｂｌｕｅｔｏｏｔｈのシンボル７０８がステータスバー７１０に表示されてよく、Ｗｉ−Ｆｉのシンボル７０９がステータスバー７１０に表示されてよい。これにより、第１電子デバイスを関連するデバイスアカウントにログインさせることなく、即時共有の機能を有効化または無効化することができる。
【００６２】
本願の本実施形態において、即時共有の機能が有効化された後、第１電子デバイス１０１が画像（例えば、ユーザにより前面カメラ／背面カメラを用いて撮影された写真または動画、またはユーザにより特定の操作を行うことで取得されたスクリーンショット）をキャプチャしたときに、第１電子デバイス１０１は、第２電子デバイス１０３のディスプレイ画面がオンであるか否かを決定してよい。第１電子デバイス１０１は、第２電子デバイス１０３のディスプレイ画面がオンであると決定した場合に、キャプチャされた画像を、無線リンク（ＢｌｕｅｔｏｏｔｈリンクまたはＷｉ−Ｆｉリンクなど）を介して第２電子デバイス１０３へ伝送する。第１電子デバイスは、第２電子デバイス１０３のディスプレイ画面がオフであると決定した場合に、画像を第２電子デバイス１０３へ伝送しなくてよい。第２電子デバイス１０３のディスプレイ画面がオンであるか否かを第１電子デバイス１０１が決定するための具体的方法は、画面がオフであるか否か、メモリ容量、デバイスハードウェア／ソフトウェアバージョン情報などの現在のデバイス状態情報を、第２電子デバイス１０３が第１電子デバイス１０１へ能動的にフィードバックすることであってよい。第１電子デバイス１０１は次いで、第２電子デバイス１０３によりフィードバックされたデバイス状態情報に基づいて、第２電子デバイス１０３のディスプレイ画面がオンであるか否かを決定する。本願のいくつかの他の実施形態において、第２電子デバイス１０３のディスプレイ画面がオンであるか否かを第１電子デバイス１０１が決定するための方法は、代替的に、クラウドサーバにより送信されるメッセージを用いて、第２電子デバイス１０３のディスプレイ画面がオンであるか否かを決定することであってよい。例えば、第１電子デバイス１０１および第２電子デバイス１０３が同じデバイスアカウントにログインしているので、クラウドサーバは、２つの電子デバイスのディスプレイ画面情報（画面がオフであるか否かおよびサイズなど）、メモリ容量、およびデバイスハードウェア／ソフトウェアバージョン情報などの何らかのデバイス情報を収集することができる。第１電子デバイス１０１は、クラウドサーバに、クエリを実行して第２電子デバイス１０３のディスプレイ画面についての情報を返送するよう要求し得る。クラウドサーバは、クエリを実行し、メッセージを第１電子デバイス１０１へ返送する。これにより、第１電子デバイス１０１は、第２電子デバイス１０３のディスプレイ画面がオンであるか否かを決定し、画像を第２電子デバイス１０３へ送信するか否かを決定することができる。本願の本実施形態において、第１電子デバイス１０１は、第２電子デバイス１０３のディスプレイ画面がオンであるときにのみ、キャプチャされた画像を第２電子デバイス１０３へ送信する。本願のいくつかの他の実施形態において、画面がオンである電子デバイス上で、ユーザが動画を視聴している、テキストをタイピングしている、または別の操作を行っている場合、誰かが画像を共有しようとしていることを示す通知が通知バーに表示される。ユーザがこの通知をクリックして初めて、画像を電子デバイスのディスプレイ画面上に表示することができる。
【００６３】
当該実施形態において、第２電子デバイス１０３のディスプレイ画面がオンであるか否かを第１電子デバイス１０１が決定する操作は、代替的に、ＢｌｕｅｔｏｏｔｈまたはＷｉ−Ｆｉが有効化された後、第１電子デバイス１０１が画像をキャプチャする前に行われてもよい。これにより、ユーザがピクチャを撮影した後に、より迅速かつより効率的に即時共有が行われる。
【００６４】
本願の別の実施形態において、第２電子デバイス１０３が迅速かつ遅滞なく画像を保存するよう、第１電子デバイス１０１は、代替的に、第２電子デバイス１０３のディスプレイ画面がオンであるか否かを決定することなく、画像をキャプチャした後に画像を第２電子デバイス１０３へ伝送してよいことを理解されたい。加えて、本実施形態において、画像が第２電子デバイス１０３へ伝送された後、第２電子デバイス１０３は、第２電子デバイス１０３の状態に基づいて画像に対して異なる処理を行ってよい。例えば、第２電子デバイス１０３は、ディスプレイ画面がオンでないと決定したとき、画像をメモリに保存し、次いでディスプレイ画面がオンであるときに画像をディスプレイ画面上に表示してよい。別の例として、第２電子デバイス１０３は、画像を受信した後、まずディスプレイ画面がオンであるか否かを決定し、第２電子デバイス１０３のディスプレイ画面がオンである場合、ディスプレイ画面上に画像を表示し、またはディスプレイ画面がオンでない場合、画像の保存をスキップしてよい。
【００６５】
本願のいくつかの他の実施形態において、即時共有の機能が有効化された後、第１電子デバイス１０１が画像（例えば、ユーザにより前面カメラ／背面カメラを用いて撮影された写真または動画、またはユーザにより特定の操作を行うことで取得されたスクリーンショット）をキャプチャしたときに、第１電子デバイス１０１はまず、第２電子デバイス１０３がログインしているデバイスアカウントが、第１電子デバイス１０１がログインしているデバイスアカウントと同じであるか否かを決定してよい。第２電子デバイス１０３がログインしているデバイスアカウントが、第１電子デバイス１０１がログインしているデバイスアカウントと同じであると決定されたときにのみ、第１電子デバイス上のピクチャまたは動画を、無線リンク（ＢｌｕｅｔｏｏｔｈリンクまたはＷｉ−Ｆｉリンクなど）を用いて第２電子デバイス１０３と即時共有することができる。これにより、ピクチャ／動画の共有の正確性が保証され、それにより、第１電子デバイス１０１上のデータのプライバシーおよびセキュリティがさらに保証される。具体的には、第１電子デバイス１０１は、第２電子デバイス１０３とのＢｌｕｅｔｏｏｔｈ接続を確立した後に、第２電子デバイス上のデバイスアカウントが第１電子デバイス上のデバイスアカウントと同じであると決定してよい。第１電子デバイスは、第２電子デバイスおよび第１電子デバイス上のデバイスアカウントが同じであると決定した場合に、即時共有の機能を有効化する（またはオンにする）。これにより、第１電子デバイス１０１は、画像をキャプチャした後に、ユーザに対するプロンプトを行うことなく、キャプチャされた画像を無線リンクを介して第２電子デバイス１０３へ送信する。
【００６６】
本願のいくつかの他の実施形態において、即時共有の機能が有効化された後、第１電子デバイス１０１が画像（例えば、ユーザにより前面カメラ／背面カメラを用いて撮影された写真または動画、またはユーザにより特定の操作を行うことで取得されたスクリーンショット）をキャプチャしたときに、第１電子デバイス１０１は、第２電子デバイス１０３のディスプレイ画面がオンであるか否かを決定してよく、さらに、第２電子デバイス１０３がログインしているデバイスアカウントが、第１電子デバイス１０１がログインしているデバイスアカウントと同じであるか否かを決定してよい。第２電子デバイス１０３のディスプレイ画面がオンであり、第２電子デバイス１０３がログインしているデバイスアカウントが、第１電子デバイス１０１がログインしているデバイスアカウントと同じであると第１電子デバイス１０１が決定したとき、第１電子デバイス１０１は、キャプチャされた画像を、ディスプレイ画面がオンである第２電子デバイス１０３へ無線リンクを介して送信する。上述の解決手段により、画像（ピクチャまたは動画等）の共有の正確性を保証することができ、それにより第１電子デバイス上のデータのプライバシーおよびセキュリティがさらに保証される。本実施形態における技術的解決手段は、以下のシナリオに適用されてよい。
【００６７】
シナリオ１：ユーザが、同じデバイスアカウントにログインする２つの電子デバイス、例えば携帯電話およびポータブルコンピュータを有する。携帯電話およびポータブルコンピュータは、ＢｌｕｅｔｏｏｔｈによってＢｌｕｅｔｏｏｔｈリンクを確立し、同じＷｉ−Ｆｉ無線アクセスポイントとのＷｉ−Ｆｉリンクを確立する。この場合、ユーザは自宅にいてもよく、またはオフィスにいてもよく、またはコーヒーショップにいてもよい。ユーザは、ポータブルコンピュータ上で『星の王子さま』の感想についての記事を執筆中であり、今、記事にイラストとしてピクチャを追加する必要がある。したがって、ユーザは、携帯電話を用いて写真を撮影し、写真はポータブルコンピュータのディスプレイ画面上に直ちに表示される。これにより、ユーザは、ポータブルコンピュータのディスプレイ画面上で写真をほぼ同時に視認することができ、写真に対して編集または他の処理を直ちに行うことができる。本願のいくつかの他の実施形態において、写真は、ディスプレイ画面上の特定の位置に表示され得る。例えば、写真は、図１２に示すように記事中の特定の位置に挿入され得る。図１２において、ユーザが携帯電話を用いて写真を撮影する前に、感想の何らかの内容１２０１（テキストおよびマルチメディアなど）がポータブルコンピュータのディスプレイ画面上に表示されている。ユーザが携帯電話を用いて写真を撮影した後、写真１２０２は、ポータブルコンピュータへ即時に伝送される。図１２のシンボル１２０３は、ポータブルコンピュータのディスプレイ画面上に表示される記事の具体的な詳細を示す。写真１２０２は、ポータブルコンピュータ上で現在の記事中に挿入および表示され、写真説明が写真の下に自動的に追加され得る（例えば、「イラスト」または「ユーザの携帯電話からの写真です」などの類似の説明が追加される）。加えて、写真が記事に挿入されたことにより、記事の組版が変更される。ポータブルコンピュータは、写真のサイズおよび形状に基づいて、記事の組版および表示を自動的に行うことができる。これにより、電子デバイスの知的対話の性能が大幅に向上し、ユーザの文書処理効率が高まる。
【００６８】
本願のいくつかの他の実施形態において、文書（ＷＯＲＤ文書など）が編集された後、ポータブルコンピュータは、編集された文書を、無線リンクを介してユーザの携帯電話へ自動的に送信してもよく、または、編集が完了した後に、文書を携帯電話へ送信するか否かをユーザに尋ねてユーザによる確認を促してもよい。上述の解決手段によれば、ユーザは、異なる複数の電子デバイスの連携を通して１つのものを扱うことができる。これにより、電子デバイスの処理効率が高まる。
【００６９】
シナリオ２：複数（２つ以上）の電子デバイス（携帯電話、タブレットコンピュータ、およびポータブルコンピュータなど）が、全て自宅にある。例えば、電子デバイスＡは寝室に、電子デバイスＢはリビングに、電子デバイスＣはキッチンにあるが、これらの電子デバイスは互いに近接している。電子デバイスＡ、Ｂ、およびＣは、同じデバイスアカウントにログインしている。すなわち、これらの電子デバイスは、同じユーザが所有する異なる電子デバイスである。加えて、これら複数の電子デバイスは全て、同じＷｉ−Ｆｉ無線アクセスポイントとの無線接続を確立する。すなわち、これら複数の電子デバイスは、Ｗｉ−Ｆｉ無線アクセスポイントを用いて無線ローカルエリアネットワークを形成し得る。当該シナリオにおいて、即時共有の機能が電子デバイスＡ上で有効化される。ユーザが電子デバイスＡのカメラを用いて画像をキャプチャしたとき、当該画像は、画面がオンである電子デバイスＢへＷｉ−Ｆｉリンクを介して伝送されてよく、当該画像は、電子デバイスＢの画面上に直ちに表示される。しかしながら、電子デバイスＣの画面はオフであるので、当該画像は電子デバイスＣへ伝送されない。画面がオンである電子デバイスＢは、電子デバイスＢがユーザの家族または友人により使用されていることを示し、画面がオフである電子デバイスＣは、電子デバイスが現在誰にも使用されていないことを示す。したがって、電子デバイスＡは、キャプチャされた画像を、画面がオンである電子デバイスＢへ伝送する。これにより、ユーザは、取得された画像（写真または動画など）を家族／友人と直ちに共有することができ、それによりユーザエクスペリエンスが向上する。
【００７０】
上述の実施形態に関連して、本願のいくつかの他の実施形態において、即時共有の機能が有効化された後、第１電子デバイスはさらに、他の電子デバイスと第１電子デバイスとの間の距離に基づいて、異なるサイズおよび解像度を有する画像を他の電子デバイスへ伝送してよい。第１電子デバイスは、例えば他の電子デバイスのＢｌｕｅｔｏｏｔｈ信号の検出強度に基づく方法、または他の電子デバイスのＷｉ−Ｆｉ信号の強度に基づく方法といった方法を用いて、他の電子デバイスと第１電子デバイスとの間の距離を決定してよい。他の電子デバイスと第１電子デバイスとの間の距離は、代替的に、上述の方法とは異なる別の方法を用いて決定されてもよいことを理解されたい。これは、本実施形態において限定されるものではない。図８Ａに示すように、電子デバイスａは、即時共有の機能が有効化されている第１電子デバイス１０１であり、電子デバイスａ〜ｄは全て、同じＷｉ−Ｆｉ無線アクセスポイントに接続されていると仮定する。電子デバイスａは、上述の方法を用いて、他の電子デバイスｂ、ｃ、およびｄと電子デバイスａとの間の距離を決定してよい。図８Ａから、電子デバイスｂが電子デバイスａに最も近く、電子デバイスｃが電子デバイスａに２番目に近く、電子デバイスｄが電子デバイスａから最も遠いことがわかる。次いで、電子デバイスａがカメラを用いて画像８０２をキャプチャした後、当該画像は、Ｗｉ−Ｆｉリンクを介して別の電子デバイスへ伝送されてよい。具体的には、電子デバイスｂが電子デバイスａに最も近いので、電子デバイスａは、キャプチャされた画像を元のサイズのまま電子デバイスｂへ伝送することができる。この場合、電子デバイスｂの画面はオンであってよく、画像が画面上に表示されてよい。図８Ｂに示すように、画像８０２が電子デバイスｂの画面上に表示される。電子デバイスｄは電子デバイスａから最も遠く、電子デバイスｄの画面はオフである。この場合、電子デバイスａは、画像を電子デバイスｄへ送信しなくてよい。電子デバイスａは、電子デバイスｃと電子デバイスａとの間の距離に基づいて、解像度の低い画像８０３を電子デバイスｃへ送信してよく、当該画像は、電子デバイスｃの画面上に直ちに表示される。本実施形態における方法によれば、電子デバイスａからより遠くにある電子デバイスは、伝送されるピクチャのサイズがより小さく解像度がより低いことを示す。別の電子デバイスと電子デバイスａとの間の距離がより小さいことは、当該電子デバイスのユーザと電子デバイスａのユーザとの間の親密度がより高く、より解像度の高いピクチャが電子デバイスにより伝送され得ることを示してよい。上述の即時共有方法によれば、電子デバイス間での画像共有をより知的にすることができ、それにより共有効率が向上し、さらにユーザエクスペリエンスが向上する。
【００７１】
本願のいくつかの他の実施形態において、電子デバイスａは、異なる距離に基づいて、他の電子デバイスへ画像を順次伝送してよい。例えば、電子デバイスａは、まず電子デバイスａに最も近い電子デバイスｂへキャプチャされた画像を伝送し、最後に電子デバイスａから最も遠い電子デバイスｄへ画像を伝送してよい。これにより、Ｗｉ−Ｆｉローカルエリアネットワークについて、同じ瞬間に消費されるネットワークリソースの数が少なくなるという利点がある。加えて、電子デバイスａに最も近い電子デバイスｂのユーザと電子デバイスａのユーザとの間の親密度が最も高い。したがって、電子デバイスｂは、電子デバイスａにより送信された画像を最も迅速に取得することができ、それにより、電子デバイスｂが電子デバイスａにより撮影された画像を適時的に迅速に取得することを保証することができる。本願のいくつかの他の実施形態において、電子デバイスと電子デバイスａとの間の相対距離が変化（すなわち、当該電子デバイスの位置が変化）した場合、電子デバイスａは、新たな距離に基づいて、画像をどのように伝送するかを決定してよい。
【００７２】
図９に示すように、第１電子デバイス１０１（電子デバイスａまたは電子デバイスＡ等であってよい）は、キャプチャされた画像９０１を、無線リンク９１０を介して第２電子デバイス１０３（電子デバイスｂまたは電子デバイスＢ等であってよい）へ伝送してよく、画像９０１は、第２電子デバイス１０３のディスプレイ画面上に表示される。図９において、第１電子デバイス１０１から伝送された画像９０１は、第２電子デバイス１０３のディスプレイ画面上に表示される。当該画像は、フローティング方式でディスプレイ画面上に表示されてよく、画像を操作するための、編集９０２、保存９０３、およびキャンセル９０４などのいくつかの共通の仮想ボタンが画像の下に表示されてよい。「編集」は、第２電子デバイスが、仮想ボタン９０２に対するユーザのタッチ操作を受け付けた後、当該タッチ操作に応答して、ユーザが第１電子デバイスにより伝送された画像９０１に対して編集（色補正または切り取りなど）を行うことができるように編集関連ＧＵＩを表示してよいことを示す。「保存」は、第２電子デバイス１０３が、仮想ボタン９０３に対するユーザのタッチ操作を受け付けた後、当該タッチ操作に応答して、第１電子デバイス１０１により伝送された画像９０１を第２電子デバイス１０１のメモリに保存してよいことを示す。当該メモリは、フラッシュメモリなどの不揮発性メモリであってよいことを理解されたい。「キャンセル」は、第２電子デバイス１０３が、仮想ボタン９０４に対するユーザのタッチ操作を受け付けた後、当該タッチ操作に応答して、第１電子デバイス１０１により即時共有された画像９０１を保存しなくてよく、ディスプレイ画面上に画像９０１を表示することを停止することを示す。本願のいくつかの他の実施形態において、画像の表示方向は、第２電子デバイス１０３のディスプレイ画面のサイズに適応してよい。図９において、表示されている画像９０１の長さ方向は、第２電子デバイス１０３のディスプレイ画面の幅方向と同じである（いずれの方向も平面座標系におけるＹ方向であると仮定）。このため、表示方式に関して、画像９０１は、第２電子デバイス１０３のディスプレイ画面に適応することができない。図１０Ａに示すように、第１電子デバイス１０１により伝送された画像１００１が第２電子デバイス１０３上に表示され、画像１００１の長さ方向は、第２電子デバイス１０３のディスプレイ画面の長さ方向と同じである（いずれの方向も平面座標系におけるＹ方向であると仮定）。これにより、画像１００１の表示方向が、第２電子デバイス１０３のディスプレイ画面により良好に適応する。
【００７３】
本願のいくつかの実施形態において、図１０Ａに示すように、第１電子デバイス１０１によりＷｉ−Ｆｉによって伝送された画像１００１が第２電子デバイス１０３のディスプレイ画面上に表示され、画像１００１は、フローティング方式でディスプレイ画面上に表示されてよい。第２電子デバイス１０３が、ディスプレイ画面に対する（またはその近傍での）ユーザのタッチ操作を予め設定された時間内（例えば５秒以内）に受け付けない場合、予め設定された時間の経過後に、それまで表示されていた画像１００１をディスプレイ画面上に表示することを停止する。すなわち、当該画像はキャッシュに保存されない。いくつかの他の実施形態において、画像１００１が表示されたときに、プロンプトボックスが第２電子デバイス１０３のディスプレイ画面上にさらに表示されてよい。例えば、「第１電子デバイスからの画像です。５秒以内に操作がない場合、この画像は表示が停止され、ローカルに保存されません。」という内容のプロンプトボックス１００２がさらに表示されてよい。プロンプトボックス１００２は、画像を送信した電子デバイスをユーザに通知してもよく、または予め設定された時間内に操作が行われない場合に生じる結果をユーザに通知してもよい。
【００７４】
第２電子デバイス１０３が、ディスプレイ画面に対する（またはその近傍での）ユーザのタッチ操作を予め設定された時間内に受け付けた場合、それまで表示されていた画像１００１をディスプレイ画面上に表示し続ける。これは、当該画像が第２電子デバイス１０３のキャッシュに記憶されることを示す。当該タッチ操作は、ディスプレイ画面上の任意の位置におけるユーザの指１００３のタッチ操作であってもよく、または、当該タッチ操作は、画像１００１に対するユーザの指１００３のタッチ操作、すなわち、画像１００１が位置する位置にユーザの指１００３がタッチすることであってもよい。図１０Ｂに示すように、第２電子デバイス１０３は、当該タッチ操作に応答して、ディスプレイ画面上に２つの仮想ボタン、編集１００４および保存１００５をさらに表示してよい。「編集」は、第２電子デバイス１０３が、仮想ボタン１００４に対するユーザのタッチ操作を受け付けた後、当該タッチ操作に応答して、ユーザが第１電子デバイス１０１により伝送された画像に対して編集（色補正または切り取りなど）を行うことができるよう編集関連ＧＵＩを表示してよいことを意味する。「保存」は、第２電子デバイス１０３が、仮想ボタン１００５に対するユーザのタッチ操作を受け付けた後、当該タッチ操作に応答して、画像１００１を第２電子デバイス１０３のメモリに保存してよいことを意味する。当該メモリは、不揮発性であってよい。上述の実装形態によれば、ユーザが画像に関心があるときに、ユーザが更なる処理を行うように、電子デバイスがその画像についてより多数の制御を表示することができ、それにより電子デバイスとユーザとの間の知的対話の性能が向上し、ユーザエクスペリエンスが向上する。
【００７５】
本願のいくつかの他の実施形態において、画像が編集された後、第２電子デバイス１０３は、編集された画像を、無線リンクを介して第１電子デバイス１０１へさらに送信してもよく、または、編集の後、画像を第１電子デバイス１０１へ送信するか否かをユーザに尋ねてユーザによる確認を促してもよい。上述の解決手段によれば、ユーザは、異なる複数の電子デバイスの連携を通して１つのものを扱うことができる。これにより、電子デバイスの処理効率が高まる。
【００７６】
本願のいくつかの他の実施形態において、第１電子デバイス１０１により伝送された画像は、代替的に、図１０Ｃに示すように、第２電子デバイス１０３のディスプレイ画面のロック画面インタフェース上に表示されてもよい。本図において、第２電子デバイス１０３のディスプレイ画面はオンであり、したがって、当該画像がディスプレイ画面上に表示されてよい。プロンプトボックス１００６は、ロック画面インタフェースが第２電子デバイス１０３のディスプレイ画面上に現在表示されていることを示し、画像１００１は、ロック画面インタフェース上に表示される。ユーザがスライドによるロック解除を行った後、画像１００１は、ディスプレイ画面上に表示されなくてよい。これは、ユーザが、画像１００１を視認した後に、画像１００１に対していかなる操作（タッチなど）も行わずに、プロンプトボックス１００６をタッチしてディスプレイ画面をロック解除したためである。これは、ユーザが画像１００１に関心がないことを示す。本願のいくつかの他の実施形態において、ユーザがスライドによるロック解除を行った後、ユーザが画像１００１をズームインまたはズームアウトするよう、画像１００１がディスプレイ画面上に表示され続けてもよいことを理解されたい。
【００７７】
本願のいくつかの他の実施形態において、電子デバイス（上述の実施形態における第１電子デバイス１０１など）は、写真撮影の後に即時共有の機能を自動的に有効化してもよく、またはユーザに対するプロンプトを行った後にユーザの承認に基づいて即時共有の機能を有効化してもよい。図１１Ａに示すように、ユーザがカメラを用いて画像１１０１をキャプチャした後、まず画像１１０１がユーザによるプレビューのために表示されてよい。この場合、電子デバイスは、ディスプレイ画面上で、即時共有の機能を有効化するか否かをユーザに尋ねてよい。図１１Ａにおいて、当該機能を有効化するか否かをユーザに尋ねるためにプロンプトボックス１１０２が用いられ、図ではさらに仮想ボタン１１０３および１１０４が表示されている。仮想ボタン１１０３は、電子デバイスが、仮想ボタン１１０３に対するユーザのタッチ操作を受け付けた後、当該タッチ操作に応答して、即時共有の機能を有効化し、その後Ｗｉ−ＦｉおよびＢｌｕｅｔｏｏｔｈ等を有効化し、上述の実施形態における関連する手順に基づいて別の電子デバイスおよびＷｉ−Ｆｉ無線アクセスポイントとの無線接続を確立してよいことを示す。仮想ボタン１１０４は、電子デバイスが、仮想ボタン１１０４に対するユーザのタッチ操作を受け付けた後、当該タッチ操作に応答して、即時共有の機能を有効化しないことを示す。いくつかの他の実施形態において、写真撮影のアイコン１１０５が電子デバイスのディスプレイ画面上にさらに表示されてよく、ユーザは、当該アイコンをクリックして写真撮影のためのＧＵＩを表示し、写真の撮影を続けてよい。本願のいくつかの他の実施形態において、ユーザが仮想ボタン１１０３をクリックして即時共有の機能を有効化した後、電子デバイスが電子デバイスとのＢｌｕｅｔｏｏｔｈペアリングを行う別の電子デバイスを見つけなかった場合、図１１Ｂに示すように、共有の失敗を示す通知メッセージがディスプレイ画面上に表示されてよい。プロンプトボックス１１０７は、電子デバイスが現在のところ別の適切な電子デバイスを見つけておらず、その結果共有が失敗したことを示す。ユーザが仮想ボタン１１０６をクリックした後、電子デバイスは、当該タッチ操作に応答して、ユーザが写真の撮影を続けるように写真撮影のためのＧＵＩに戻ってよい。本願のいくつかの他の実施形態において、カメラによる撮影が開始されたときに、即時共有の機能を有効化するか否かをユーザに尋ねてもよく、または写真撮影のためのメインインタフェース上に制御が表示されてもよい。当該制御は、即時共有の機能を有効化または無効化するために用いられてよい。
【００７８】
図１４に示すように、電子デバイスＡ、Ｂ、Ｃ、およびＤが、同じＷｉ−Ｆｉ無線アクセスポイント１４０１との無線リンクを確立する。加えて、Ｂｌｕｅｔｏｏｔｈスレーブデバイスとして、電子デバイスＢ、Ｃ、およびＤが、Ｂｌｕｅｔｏｏｔｈマスタデバイスとして機能する電子デバイスＡとのＢｌｕｅｔｏｏｔｈリンクを確立する。したがって、電子デバイスＢが写真１４０２を撮影した後、当該写真は、自動的に電子デバイスａと即時共有されてよい。電子デバイスＡはマスタデバイスであり、電子デバイスＣおよびＤはいずれもスレーブデバイスであるので、電子デバイスＢは、写真１４０２を、Ｗｉ−Ｆｉ無線リンクを介して電子デバイスＣおよびＤへ送信しない。本実施形態において、電子デバイスＡは、デフォルトでＢｌｕｅｔｏｏｔｈマスタデバイスとして機能して、Ｗｉ−Ｆｉ無線リンクを介してＢｌｕｅｔｏｏｔｈスレーブデバイス（電子デバイスＢ、Ｃ、またはＤ）により送信された画像（写真または動画など）または録音および文書（Ｗｏｒｄ文書またはＴＸＴ文書など）などの他のデータを受信してよく、それにより、電子デバイスＡのユーザが、即時共有された写真、動画、録音、または文書等に基づいて特定の編集処理を行う。例えば、図１４において、電子デバイスＢは、写真１４０２を撮影し、写真１４０２を即時共有によって電子デバイスＡへ送信する。電子デバイスＣは、録音１４０３を録音し、録音１４０３を即時共有によって電子デバイスＡへ送信する。電子デバイスＤは、文書１４０４を即時共有によって電子デバイスＡへ送信する。これにより、電子デバイスＡのユーザが、受信したデータ（例えば写真１４０２、録音１４０３、および文書１４０４）を整理および編集してよく、編集の間に、電子デバイスＢ、Ｃ、およびＤにより送信されるデータを受信し続けてよい。本願のいくつかの他の実施形態において、ユーザがデータの編集を完了した後、電子デバイスＡは、編集されたデータを、Ｂｌｕｅｔｏｏｔｈスレーブデバイスとして機能する別の電子デバイスへ送信してよい。例えば、ユーザは、電子デバイスＡ上で、データが送信される先のスレーブデバイスを選択してよい。
【００７９】
本願の一実施形態は、電子デバイスを提供する。図１３に示すように、電子デバイス１３０は、プロセッサ１３０１、タッチスクリーン１３０２、Ｗｉ−Ｆｉ装置１３０３、Ｂｌｕｅｔｏｏｔｈ装置１３０４、電源装置１３０５、およびメモリ１３０６を含んでよい。電子デバイス１３０の上述の部分は、１または複数の通信バス１３０７を用いて互いに接続されてよい。図１３には示していないが、電子デバイス１３０は、無線周波数回路、測位装置、マイクロプロジェクタ、およびＮＦＣ装置等をさらに含んでよいことを理解されたい。詳細についてはここでは説明しない。電子デバイス１３０は、Ｂｌｕｅｔｏｏｔｈ装置１３０４を用いて別の電子デバイスとのＢｌｕｅｔｏｏｔｈリンクを確立する。Ｗｉ−Ｆｉ装置１３０３は、Ｗｉ−Ｆｉ無線アクセスポイントとのＷｉ−Ｆｉリンクを確立する。電子デバイス１３０は、Ｗｉ−Ｆｉ  Ｄｉｒｅｃｔによって別の電子デバイスとのポイントツーポイント接続を確立して、Ｗｉ−Ｆｉ  Ｄｉｒｅｃｔリンクを形成する。プロセッサ１３０１は、メモリ１３０６から画像情報を取得する。画像情報は、取得された画像および／または電子デバイス１３０のデバイス情報を含む。プロセッサ１３０１は、Ｗｉ−Ｆｉ  Ｄｉｒｅｃｔリンクを介して当該別の電子デバイスへ画像情報を送信する。
【００８０】
当該別の電子デバイスは、画像情報を受信した後に、当該別の電子デバイスのディスプレイ画面がオンであるか否かを決定する。
【００８１】
当該別の電子デバイスは、ディスプレイ画面がオンであると決定した場合に、ディスプレイ画面上に画像およびデバイス情報を表示する。または、当該別の電子デバイスは、ディスプレイ画面がオンでないと決定した場合に、ディスプレイ画面上に画像またはデバイス情報を表示しない。
【００８２】
本願のいくつかの他の実施形態は、コンピュータデバイスを提供する。コンピュータデバイスは、メモリと、プロセッサと、メモリに記憶され、プロセッサにおいて動作可能であるコンピュータプログラムとを含んでよい。プロセッサは、上述の実施形態における段階を実装するよう、コンピュータプログラムを実行する。
【００８３】
本願のいくつかの他の実施形態において、電子デバイスが開示される。電子デバイスは、タッチパネルおよびディスプレイを含むタッチスクリーンと、１または複数のプロセッサと、メモリと、複数のアプリケーションプログラムと、および１または複数のプログラムとを含んでよい。１または複数のプログラムは、メモリに記憶され、１または複数のプロセッサにより実行される。１または複数のプログラムは、命令を含み、命令は、上述の実施形態における段階を行うために用いられてよい。
【００８４】
上述の実施形態においては、「第１」および「第２」などの用語を用いて様々な電子デバイスを説明する場合があるが、これらの電子デバイスは、これらの用語により限定されるべきではないことが理解されるべきである。これらの用語は、単に一の電子デバイスを別の電子デバイスと区別するために用いられている。例えば、本願の実施形態の趣旨から逸脱することなく、第１電子デバイスが第２電子デバイスと呼称されてもよく、同様に第２電子デバイスが第１電子デバイスと呼称されてもよい。
【００８５】
上述の実施形態において用いられる場合、文脈に基づいて、「場合」との用語は、「とき」、または「後」、または「…を決定したことに応答して」、または「…を検出したことに応答して」として解釈されてよい。同様に、文脈に基づいて、「…を決定した場合」または「（記載の条件またはイベント）を検出した場合」との語句は、「…を決定したとき」、または「…を決定したことに応答して」、または「（記載の条件またはイベント）を検出したとき」、または「（記載の条件またはイベント）を検出したことに応答して」として解釈されてよい。
【００８６】
実施形態において用いられる用語は、特定の実施形態を例示することを目的としたものに過ぎず、本願を限定することを意図したものではない。実施形態および添付の特許請求の範囲における単数形の「一の」、「前記」および「当該」という用語は、別途文脈により明示されない限り、複数形も含むことが意図されている。また、本明細書において用いれらる「および／または」という用語は、１または複数の関連付けられ列挙されている項目の、任意のまたは全ての可能な組み合わせを含むことを示すことを理解すべきである。
【００８７】
上述の実施形態の全てまたは一部は、ソフトウェア、ハードウェア、ファームウェア、またはそれらの任意の組み合わせによって実装されてよい。実施形態の実装にソフトウェアが用いられるとき、実施形態は、完全にまたは部分的にコンピュータプログラム製品の形態で実装されてよい。コンピュータプログラム製品は、１または複数のコンピュータ命令を含む。コンピュータプログラム命令がコンピュータ上でロードおよび実行されるときに、本発明の実施形態に係る手順または機能が全てまたは部分的に生成される。コンピュータは、汎用コンピュータ、専用コンピュータ、コンピュータネットワーク、または他のプログラム可能な装置であってよい。コンピュータ命令は、コンピュータ可読記憶媒体に記憶されてもよく、または、一のコンピュータ可読記憶媒体から別のコンピュータ可読記憶媒体へ伝送されてもよい。例えば、コンピュータ命令は、有線方式（例えば同軸ケーブル、光ファイバ、またはデジタル加入者線）または無線方式（例えば赤外線、電波、またはマイクロ波等）で、一のウェブサイト、コンピュータ、サーバ、またはデータセンタから別のウェブサイト、コンピュータ、サーバ、またはデータセンタへ伝送されてよい。コンピュータ可読記憶媒体は、コンピュータによりアクセス可能な任意の使用可能な媒体、または１または複数の使用可能な媒体を統合したサーバまたはデータセンタなどのデータ記憶デバイスであってよい。使用可能な媒体は、磁気媒体（例えばソフトディスク、ハードディスク、または磁気テープ）、光媒体（例えばデジタル多用途ディスク（ＤＶＤ））、または半導体媒体（例えば固体状態ディスクＳＳＤ）等であってよい。説明的な目的で、上述の説明は、特定の実施形態に関連して説明されている。しかしながら、上述の例示的な議論は、詳細なものとする意図はなく、本願を開示されている厳密な形態に限定する意図はない。上述の教示内容によれば、多数の改変例および変形例が可能である。実施形態は、想到される具体的な用途に適用可能な様々な改変を有する技術的解決手段および様々な実施形態を当業者が完全に利用できるよう、技術的解決手段の原理およびそれらの原理の実際の応用を完全に例示するように選択および説明されている。
【図１】
2020144914.tif 000003
【図２】
2020144914.tif 000004
【図３】
2020144914.tif 000005
【図４】
2020144914.tif 000006
【図５】
2020144914.tif 000007
【図６Ａ】
2020144914.tif 000008
【図６Ｂ】
2020144914.tif 000009
【図６Ｃ】
2020144914.tif 000010
【図６Ｄ】
2020144914.tif 000011
【図７Ａ】
2020144914.tif 000012
【図７Ｂ】
2020144914.tif 000013
【図８Ａ】
2020144914.tif 000014
【図８Ｂ】
2020144914.tif 000015
【図９】
2020144914.tif 000016
【図１０Ａ】
2020144914.tif 000017
【図１０Ｂ】
2020144914.tif 000018
【図１０Ｃ】
2020144914.tif 000019
【図１１Ａ】
2020144914.tif 000020
【図１１Ｂ】
2020144914.tif 000021
【図１２】
2020144914.tif 000022
【図１３】
2020144914.tif 000023
【図１４】
2020144914.tif 000024
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
第１の電子デバイス、第２の電子デバイス、および第３の電子デバイスを備える画像共有システムであって、
前記第１の電子デバイスは、
前記第２の電子デバイスと第１のＷｉ−Ｆｉリンクを確立し、
前記第３の電子デバイスと第２のＷｉ−Ｆｉリンクを確立し、
前記第１の電子デバイスのディスプレイ画面上で記事を編集するためのグラフィカルユーザインタフェースを表示し、
前記第２の電子デバイスが第１の画像をキャプチャすると、前記第１のＷｉ−Ｆｉリンクを介して、前記第２の電子デバイスによってキャプチャされた前記第１の画像を即座に受信し、
前記第１の画像を前記記事に自動的に挿入し、
前記第３の電子デバイスが第２の画像をキャプチャすると、前記第２のＷｉ−Ｆｉリンクを介して、前記第３の電子デバイスによってキャプチャされた前記第２の画像を即座に受信し、
前記第２の画像を前記記事に自動的に挿入するように構成され、
前記第２の電子デバイスは、
前記第１の電子デバイスと前記第１のＷｉ−Ｆｉリンクを確立し、
前記第２の電子デバイスのカメラを用いて前記第１の画像をキャプチャし、
前記第１のＷｉ−Ｆｉリンクを介して、前記第１の画像を前記第１の電子デバイスに送信するように構成され、
前記第３の電子デバイスは、
前記第１の電子デバイスと前記第２のＷｉ−Ｆｉリンクを確立し、
前記第３の電子デバイスのカメラを用いて前記第２の画像をキャプチャし、
前記第２のＷｉ−Ｆｉリンクを介して、前記第２の画像を前記第１の電子デバイスに送信するように構成される、
システム。
【請求項２】
前記第１の電子デバイスは、さらに、
前記ディスプレイ画面がオフであるとき、前記第１の画像を表示しないように構成される、
請求項１に記載のシステム。
【請求項３】
前記第１の電子デバイスは、さらに、
前記ディスプレイ画面がオンであるとき、前記第１の画像および前記第２の画像を表示するように構成される、
請求項１に記載のシステム。
【請求項４】
前記第１の電子デバイスは、さらに、
ユーザから、前記ディスプレイ画面上で、予め設定された時間内にタッチ操作を受け取り、
前記タッチ操作に応答して、前記ディスプレイ画面に前記グラフィカルユーザインタフェースを表示するように構成され、
前記グラフィカルユーザインタフェースは、前記第１の画像と、前記第１の画像の編集に使用される制御を含む、
請求項１に記載のシステム。
【請求項５】
前記第１の電子デバイスは、さらに、
前記第１の画像の下に第１の画像説明を自動的に追加し、
前記第２の画像の下に第２の画像説明を自動的に追加するように構成される、
請求項１に記載のシステム。
【請求項６】
前記第１の電子デバイスは、さらに、
前記第１の画像の形状と前記第２の画像の形状に基づいて、前記記事を自動的に組版し、
前記ディスプレイ画面に前記記事を表示するように構成される、
請求項１に記載のシステム。
【請求項７】
前記第１の電子デバイスは、さらに、
前記第１のＷｉ−Ｆｉリンクを介して前記第２の電子デバイスに、前記第２のＷｉ−Ｆｉリンクを介して前記第３の電子デバイスに前記記事を自動的に送信するように構成され、
前記記事は、前記第１の画像および前記第２の画像を含む、
請求項１に記載のシステム。
【請求項８】
前記第１の電子デバイスは、さらに、
前記第２の電子デバイスのディスプレイがオンであるとき、前記第１のＷｉ−Ｆｉリンクを介して前記第２の電子デバイスに前記記事を自動的に送信し、
前記第３の電子デバイスのディスプレイがオフであるとき、前記第３の電子デバイスに前記記事を送信しないように構成され、
前記記事は、前記第１の画像および前記第２の画像を含む、
請求項１に記載のシステム。
【請求項９】
前記第１の電子デバイスは、さらに、
前記第１の画像および前記第２の画像を前記記事の異なる場所に挿入するように構成される、
請求項１に記載のシステム。
【請求項１０】
前記第１の電子デバイスはポータブルコンピュータであり、
前記第２の電子デバイスは携帯電話であり、
前記第３の電子デバイスはタブレットである、
請求項１に記載のシステム。
【請求項１１】
第１の電子デバイス、および第２の電子デバイスを備える画像共有システムであって、
前記第１の電子デバイスは、
前記第２の電子デバイスと第１のＷｉ−Ｆｉリンクを確立し、
前記第１の電子デバイスのディスプレイ画面上で記事を編集するためのグラフィカルユーザインタフェースを表示し、
前記第２の電子デバイスが第１の画像をキャプチャすると、前記第１のＷｉ−Ｆｉリンクを介して、前記第２の電子デバイスによってキャプチャされた前記第１の画像を即座に受信し、
前記第１の画像を前記記事に自動的に挿入するように構成され、
前記第２の電子デバイスは、
前記第１の電子デバイスと前記第１のＷｉ−Ｆｉリンクを確立し、
前記第２の電子デバイスのカメラを用いて前記第１の画像をキャプチャし、
前記第１のＷｉ−Ｆｉリンクを介して、前記第１の画像を前記第１の電子デバイスに送信するように構成される、
システム。
【請求項１２】
前記第１の電子デバイスは、さらに、
前記第１の電子デバイスの前記ディスプレイ画面がオフであるとき、前記第１の画像を表示しないように構成される、
請求項１１に記載のシステム。
【請求項１３】
前記第１の電子デバイスは、さらに、
前記第１のＷｉ−Ｆｉリンクを介して前記第２の電子デバイスに前記記事を自動的に送信するように構成され、
前記記事は前記第１の画像を含む、
請求項１１に記載のシステム。
【請求項１４】
前記第１の電子デバイスは、さらに、
前記第２の電子デバイスのディスプレイ画面がオンであるとき、前記第１のＷｉ−Ｆｉリンクを介して前記第２の電子デバイスに前記記事を自動的に送信するように構成され、
前記記事は前記第１の画像を含む、
請求項１１に記載のシステム。
【請求項１５】
前記第１の電子デバイスは、さらに、
ユーザから、前記ディスプレイ画面上で、予め設定された時間内にタッチ操作を受け取り、
前記タッチ操作に応答して、前記ディスプレイ画面に前記グラフィカルユーザインタフェースを表示するように構成され、
前記グラフィカルユーザインタフェースは、前記第１の画像と、前記第１の画像の編集に使用される制御を含む、
請求項１１に記載のシステム。
【請求項１６】
前記第１の電子デバイスは、さらに、
前記第１の画像の下に第１の画像説明を自動的に追加するように構成される、
請求項１１に記載のシステム。
【請求項１７】
前記第１の電子デバイスは、さらに、
前記第１の画像の形状に基づいて、前記記事を自動的に組版し、
前記ディスプレイ画面に前記記事を表示するように構成される、
請求項１１に記載のシステム。
【請求項１８】
前記第１の電子デバイスは、さらに、
サーバで前記第１の電子デバイスを認証することにより、ユーザアカウントでログインするように構成される
請求項１１に記載のシステム。
【請求項１９】
前記第２の電子デバイスは、さらに、
前記サーバで前記第２の電子デバイスを認証することにより、前記ユーザアカウントでログインするように構成される
請求項１８に記載のシステム。
【請求項２０】
第１の電子デバイスによって実装される、画像共有のための方法であって、
第２の電子デバイスとＷｉ−Ｆｉリンクを確立し、
記事を編集するためのグラフィカルユーザインタフェースを表示し、
前記第２の電子デバイスが画像をキャプチャすると、前記Ｗｉ−Ｆｉリンクを介して、前記第２の電子デバイスから前記画像を即座に受信し、
前記画像を前記記事に自動的に挿入することを含む、
画像共有のための方法。
【請求項２１】
前記第１の電子デバイスのディスプレイがオフであるとき、前記第２の電子デバイスから前記画像を受信しないことをさらに含む、
請求項２０に記載の方法。
【請求項２２】
前記画像の下に画像説明を自動的に追加し、
前記画像の形状に基づいて前記記事を自動的に組版して表示し、
ディスプレイ画面に記事を表示することをさらに含む、
請求項２０に記載の方法。
【請求項２３】
請求項２０から２２のいずれか一項に記載の方法をコンピュータに実行させるプログラム。
【外国語明細書】
2020144914000001.pdf